(57)【要約】  広域ネットワーク５０は、ＷＬＡＮ用基地局装置６０とコンテンツ供給装置５１０とを接続する。コンテンツ供給装置５１０は、放送用フォーマットで作成された通信コンテンツを記憶する。ＷＬＡＮ用基地局装置６０は、広域ネットワーク５０を介して、コンテンツ供給装置５１０からコンテンツを取得し、蓄積する。また、ＷＬＡＮ用基地局装置６０は、配信するコンテンツのフォーマットを変換し、ＷＬＡＮ方式を用いて、配信する。また、ＷＬＡＮ用基地局装置６０は、情報配信装置５２０に対して、接続設定情報とコンテンツ情報とを送信する。端末装置３０は、接続設定情報、および、コンテンツ情報を情報配信装置５２０から取得する。また、端末装置３０は、取得した接続設定情報を用いて、ＷＬＡＮ用基地局装置６０との間の接続処理を実行する。
2008047475.tif 000002
【特許請求の範囲】
【請求項１】
通信システムでの基地局装置から、当該通信システムにおいて規定された形式の通信データを受信する受信部と、
前記通信システムとは別の放送システムにおいて放送用に規定された形式の放送データを再生する再生部と、
を備え、
前記受信部において受信した通信データには、放送データが含まれており、
前記再生部は、前記受信部によって受信した通信データから、放送データを抽出し、抽出した放送データを再生することを特徴とする端末装置。
【請求項２】
通信装置から、基地局装置と接続するための接続情報を取得する取得部と、
前記取得部によって取得された接続情報を用いて、基地局装置との間の接続を確立する接続処理部と、
をさらに備え、前記受信部は、前記接続処理部によって接続が確立された後に、基地局装置から通信データを受信することを特徴とする請求項１に記載の端末装置。
【請求項３】
通信装置から送信された接続情報であって、基地局装置との間で接続を確立するための接続情報を取得する取得部と、
前記取得部によって取得された接続情報を用いて、前記基地局装置との間の接続処理を実行する接続処理部と、
前記接続処理部による接続処理が完了した後に、前記基地局装置から通信データを受信する受信部と、
を備えることを特徴とする端末装置。
【請求項４】
前記取得部によって取得される接続情報には、当該端末装置が位置するエリアに関するエリア情報が含まれており、
前記受信部は、前記取得部によって取得されたエリア情報にしたがって、受信すべき通信データを切替えることを特徴とする請求項２または３に記載の端末装置。
【請求項５】
通信データを送信する基地局装置と、
前記基地局装置に接続するための接続情報を報知する通信装置と、
前記通信装置から送信された接続情報にしたがって、基地局装置との間の接続処理を実行し、接続した基地局装置から通信データを取得する端末装置と、
を備えることを特徴とする通信システム
【請求項６】
通信システムでの基地局装置から、当該通信システムにおいて規定された形式の通信データであって、当該通信システムとは別の放送システムにおいて放送用に規定された形式の放送データを含む通信データを受信し、受信した通信データから放送データを抽出し、抽出した放送データを再生することを特徴とする通信方法。
【請求項７】
通信装置から送信された接続情報であって、当該通信装置とは別の基地局装置との間で接続を確立するための接続情報を取得し、取得された接続情報を用いて、前記基地局装置との間の接続処理を実行し、接続処理が完了した後に、前記基地局装置から通信データを受信することを特徴とする通信方法。  
【発明の詳細な説明】
【技術分野】
【０００１】
本発明は、通信技術に関し、特に、無線ネットワーク内における通信方法およびそれを利用した端末装置、通信システムに関する。
【背景技術】
【０００２】
近年、パーソナルコンピュータを用いて、テレビジョン放送や、ラジオ放送などの放送コンテンツを取得できるようになった。しかし、パーソナルコンピュータを用いる場合、自宅等の限られた場所でしか放送コンテンツを取得できなかった。そのため、持ち運び可能な携帯電話を用いて、場所を問わずに、放送コンテンツを取得していた（たとえば、特許文献１参照）。また、携帯電話を用いて、列車や、特定の場所に設置された配信装置からのデータを受信可能なサーバにアクセスすることによって、放送コンテンツを取得していた（たとえば、特許文献２参照）。
【特許文献１】特開２００２−１６４８６０号公報
【特許文献２】特開２００５−２０３９１１号公報
【発明の開示】
【発明が解決しようとする課題】
【０００３】
携帯電話のなかには、放送波を受信し、放送用に規定された信号を復号する機能を有するものがある。このような携帯電話に対して、ＩＰ（Ｉｎｔｅｒｅｎｔ  Ｐｒｏｔｏｃｏｌ）ネットワークなどの通信網を介して放送コンテンツを携帯電話に配信する場合、ＩＰネットワーク経由での通信形式と放送波での放送形式とが異なる。そのため、端末装置内に放送形式のデータをデコードする機能だけでなく、通信形式のデータをデコードする機能が新たに必要となる。【０００４】
本発明はこうした状況に鑑みてなされたものであり、その総括的な目的は、コンテンツを簡易に取得できる技術を提供することにある。
【課題を解決するための手段】
【０００５】
上記課題を解決するために、本発明のある態様の端末装置は、通信システムでの基地局装置から、当該通信システムにおいて規定された形式の通信データを受信する受信部と、通信システムとは別の放送システムにおいて放送用に規定された形式の放送データを再生する再生部と、を備える。受信部において受信した通信データには、放送データが含まれており、再生部は、受信部によって受信した通信データから、放送データを抽出し、抽出した放送データを再生する。【０００６】
ここで、「通信システムでの基地局装置」は、ＷＬＡＮ（Ｗｉｒｅｌｅｓｓ  Ｌｏｃａｌ  Ａｒｅａ  Ｎｅｔｗｏｒｋ）システムにおけるアクセスポイントを含む。また、「通信システムにおいて規定された形式」は、たとえば、ＩＥＥＥ８０２.１１にて標準化された物理レイヤやＭＡＣ（Ｍｅｄｉａ  Ａｃｃｅｓｓ  Ｃｏｎｔｒｏｌ）レイヤのデータフォーマットなどを含む。また、「放送用に規定された形式」は、たとえば、ＭＰＥＧ−２  ＴＳ（Ｍｏｖｉｎｇ  Ｐｉｃｔｕｒｅ  Ｅｘｐｅｒｔ  Ｇｒｏｕｐ−２  Ｔｒａｎｓｐｏｒｔ  Ｓｔｒｅａｍ）において規定されたＴＳパケットのフォーマットなどを含む。【０００７】
この態様によると、配信側において、放送システムとは異なる通信システムを介して、再生側の端末装置にて再生可能な放送用に規定された形式のコンテンツが含まれたデータを配信し、かつ、再生側の端末装置において、受信したデータから、放送用に規定された形式のデータを抽出し、抽出されたデータを再生することによって、端末装置は、コンテンツを簡易に再生することができる。【０００８】
通信装置から、基地局装置と接続するための接続情報を取得する取得部と、取得部によって取得された接続情報を用いて、基地局装置との間の接続を確立する接続処理部と、をさらに備え、受信部は、接続処理部によって接続が確立された後に、基地局装置から通信データを受信してもよい。取得部は、通信装置から報知された接続情報を取得してもよい。また、通信装置と基地局装置は、別の装置であってもよい。【０００９】
ここで、通信装置とは、赤外線通信などを用いた近距離無線装置や、ＷＬＡＮ（Ｗｉｒｅｌｅｓｓ  Ｌｏｃａｌ  Ａｒｅａ  Ｎｅｔｗｏｒｋ）システムにおけるアクセスポイントを含む。この態様によると、基地局装置とは異なる通信装置から、基地局装置と接続するための接続情報を取得することによって、簡易に接続情報を取得できる。【００１０】
取得部によって取得される接続情報は、通信装置から送信された情報に含まれる。この場合、接続情報が通信装置から送信された情報に含まれることによって、接続処理を簡易に実現できる。【００１１】
本発明の別の態様もまた、端末装置である。この装置は、通信装置から送信された接続情報であって、基地局装置との間で接続を確立するための接続情報を取得する取得部と、取得部によって取得された接続情報を用いて、基地局装置との間の接続処理を実行する接続処理部と、接続処理部による接続処理が完了した後に、基地局装置から通信データを受信する受信部と、を備える。この態様によると、通信装置とは別の基地局装置と接続するための接続情報を当該通信装置から取得することによって、簡易に接続情報を取得できる。【００１２】
取得部によって取得される接続情報には、当該端末装置が位置するエリアに関するエリア情報が含まれており、受信部は、取得部によって取得されたエリア情報にしたがって、受信すべき通信データを切替えてもよい。この態様によると、端末装置は、エリアごとに異なるコンテンツを簡易に取得できる。【００１３】
受信部によって受信される通信データは、暗号鍵により暗号化されており、取得部は、通信装置から、当該通信データを解読するための暗号鍵を受信してもよい。この態様によると、端末装置は、エリアごとに異なるコンテンツを安全に取得できる。【００１４】
本発明のさらに別の態様は、通信システムである。この通信システムは、通信データを送信する基地局装置と、基地局装置に接続するための接続情報を報知する通信装置と、通信装置から報知された接続情報にしたがって、接続すべき基地局装置との間の接続処理を実行し、接続した基地局装置から通信データを取得する端末装置と、を備える。この場合、端末装置は、接続すべき基地局装置との間で、確実に接続処理を実行できる。【００１５】
本発明のさらに別の態様は、通信方法である。この方法は、通信システムでの基地局装置から、当該通信システムにおいて規定された形式の通信データであって、当該通信システムとは別の放送システムにおいて放送用に規定された形式の被再生データを含む通信データを受信し、受信した通信データから被再生データを抽出し、抽出した被再生データを再生する。【００１６】
本発明のさらに別の態様もまた、通信方法である。この方法は、通信装置から報知された接続情報であって、当該通信装置とは別の基地局装置との間で接続を確立するための接続情報を取得し、取得された接続情報を用いて、基地局装置との間の接続処理を実行し、接続処理が完了した後に、基地局装置から通信データを受信する。【００１７】
なお、以上の構成要素の任意の組合せ、本発明の表現を方法、装置、システム、記録媒体、コンピュータプログラムなどの間で変換したものもまた、本発明の態様として有効である。
【発明の効果】
【００１８】
本発明によれば、コンテンツを簡易に取得できる。
【図面の簡単な説明】
【００１９】
【図１】本発明の実施形態にかかる通信システムの構成例を示す図である。
【図２】図１のＷＬＡＮ用基地局装置の構成例を示す図である。
【図３】図３（ａ）〜（ｄ）は、コンテンツのフォーマットの変換処理例を示す図である。
【図４】図１の情報配信装置の構成例を示す図である。
【図５】図１の端末装置の構成例を示す図である。
【図６】図６（ａ）〜（ｂ）は、第１の変形例における接続設定情報、および、コンテンツ情報の例を示す図である。
【図７】図５のコンテンツ処理部の構成例を示す図である。
【図８】図１の通信システムの接続処理例を示すシーケンス図である。
【図９】図１の端末装置の動作例を示すフローチャートである。
【図１０】第１の変形例にかかる第１配信システムの構成例を示す図である。
【図１１】図１１（ａ）〜（ｂ）は、第１の変形例におけるコンテンツ情報、および、ＡＰ情報の例を示す図である。
【図１２】図１０のコンテンツ配信装置の構成例を示す図である。
【図１３】図１０のＡＰの構成例を示す図である。
【図１４】図１０の第１配信システムの動作例を示すシーケンス図である。
【図１５】図１０の端末装置の動作例を示すフローチャートである。
【図１６】図１０のＡＰの動作例を示すフローチャートである。
【図１７】第２の変形例にかかる第２配信システムの構成例を示す図である。
【図１８】図１８（ａ）〜（ｂ）は、第２の変形例におけるコンテンツ情報、および、情報配信装置情報の例を示す図である。
【図１９】図１７の情報配信装置の構成例を示す図である。
【図２０】図１７の端末装置の構成例を示す図である。
【図２１】図１７の端末装置の動作例を示すフローチャートである。
【図２２】図２２（ａ）〜（ｂ）は、第３の変形例におけるコンテンツ情報、および、情報配信装置情報の例を示す図である。
【図２３】第３の変形例にかかるコンテンツ配信装置の構成例を示す図である。
【図２４】第３の変形例にかかるＡＰの構成例を示す図である。
【図２５】第３の変形例にかかる端末装置の動作例を示す図である。
【図２６】第４の変形例における特典コンテンツ情報の例を示す図である。
【図２７】第４の変形例にかかる端末装置の構成例を示す図である。
【図２８】第４の変形例にかかる特典情報配信装置の構成例を示す図である。
【図２９】第５の変形例における第５配信システムの構成例を示す図である。
【図３０】図２９の端末装置の構成例を示す図である。
【図３１】図２９のＷＬＡＮ用基地局装置の構成例を示す図である。
【図３２】図２９の端末装置の動作例を示すフローチャートである。
【図３３】第６の変形例にかかる第６配信システムの構成例を示す図である。
【図３４】第６の変形例にかかる制御情報の例を示す図である。
【図３５】図３３のコンテンツ配信装置の構成例を示す図である。
【図３６】図３３の固定端末装置の構成例を示す図である。
【図３７】図３３の端末装置の構成例を示す図である。
【図３８】図３３の位置情報設定装置の構成例を示す図である。
【図３９】第７の変形例にかかる第７配信システムの構成例を示す図である。
【図４０】図３９のコンテンツ配信装置の構成例を示す図である。
【図４１】図３９の端末装置の構成例を示す図である。
【図４２】図３９の発信端末装置の構成例を示す図である。
【図４３】第８の変形例にかかる第８配信システムの構成例を示す図である。
【図４４】図４３のコンテンツ配信装置の構成例を示す図である。
【図４５】図４３の端末装置の構成例を示す図である。
【図４６】第９の変形例にかかる第９配信システムの構成例を示す図である。
【図４７】図４６の端末装置の画面の表示例を示す図である。
【図４８】図４６のコンテンツ配信装置の構成例を示す図である。
【図４９】図４６の端末装置の構成例を示す図である。
【図５０】図４６の発信端末装置の構成例を示す図である。
【図５１】第１０の変形例にかかる第１０配信システムの構成例を示す図である。
【図５２】図５１の外部制御サーバとコンテンツ配信装置との構成例を示す図である。
【符号の説明】
【００２０】
３０  端末装置、  ５０  広域ネットワーク、  ６０  ＷＬＡＮ用基地局装置、  １００  通信システム、  １１０  ＴＳパケット、  １２０  タイムスタンプ、  １２２  ヘッダ情報、  ２００  記録用フォーマット、  ２１０  放送用フォーマット、  ２２０  通信用フォーマット、  ５１０  コンテンツ供給装置、  ５２０  情報配信装置、  ５３０  ＡＰ、  ５４０  コンテンツ配信装置。
【発明を実施するための最良の形態】
【００２１】
本発明の実施形態を具体的に説明する前に、まず、概要について述べる。本実施形態は、広告情報等の通信コンテンツを端末装置に配信する通信システムである。通信システムは、端末装置と、ＷＬＡＮ基地局装置と、サーバと、情報配信装置を含む。ここで、端末装置は、たとえば、携帯電話やＰＤＡ（Ｐｅｒｓｏｎａｌ  Ｄｉｇｉｔａｌ  Ａｓｓｉｓｔａｎｔ）などを含む。【００２２】
近年、端末装置の通信機能の高度化は著しく、セルラー網の通信手段以外に、赤外線等を用いた近距離無線機能の搭載や、携帯端末向けの地上デジタルテレビジョン放送（以下、「ワンセグ」、もしくは、「ワンセグ放送」と表記する。）の受信モジュールの搭載、さらには、ＷＬＡＮ接続機能の搭載により、様々な通信接続が可能になりつつある。一方、インターネットの普及に伴い、インターネット上で誰でも広告情報等を発信できる環境が整いつつあり、広告ビジネスの多様化が進んでいる。しかし、広告情報等は基本的にパーソナルコンピュータで閲覧することが前提であり、どこでも誰でも簡単に見ることは出来ない。したがって、所有率が非常に高く、持ち運び可能な携帯電話に対して、放送により広告情報等を配信できる環境が望まれている。【００２３】
しかし、放送により、広告情報等を配信することは難しい。なぜなら、放送するためには免許が必要であり、放送のための設備の構築も容易ではないなど、放送は、誰もが自由に発信できるものではないからである。そのため、独自に作成した広告情報などのコンテンツを所望のエリア内において配信するような場合には放送波の利用は適当ではない。【００２４】
一方、コンテンツは、放送システムにおける放送のために、ＴＳフォーマットなどのように、放送用に規定されたフォーマット（以下、「放送用フォーマット」と表記する。）で作成され、蓄積されている場合が多い。ここで、放送波ではなく、ＩＰ（Ｉｎｔｅｒｎｅｔ  Ｐｒｏｔｏｃｏｌ）ネットワークなどの通信網を介して広告情報を端末装置に配信する場合、ＩＰネットワーク経由での配信する際のデータフォーマットと放送用フォーマットとが異なるため、端末装置内に放送波での放送形式のデータをデコードする機能とＩＰネットワークでの配信形式のデータをデコードする機能とが必要となる。そのため、ハードウェアリソースの限られる端末装置にとって、非常に負荷が大きいものとなる。【００２５】
そこで、端末装置に配信される広告情報等を放送用フォーマットの形式で作成、蓄積し、蓄積した広告情報等を配信する際に、通信用に規定された形式のデータに変換する。また、本実施形態においては、端末装置に対して、自律的に、配信元の通信機器に接続するための接続情報を送信することによって、簡易に接続処理を実現できる構成とした。この通信システムは、小売店などにおいて好適となる。【００２６】
詳細は後述するが、通信システムにおいては、店内に設置されたＷＬＡＮ通信装置から広告情報等を配信する構成をとる。また、配信元のＷＬＡＮ通信装置とは異なる近距離無線装置を小売店の入り口付近に設置し、近距離無線装置から端末装置に対して、ＷＬＡＮ通信装置に接続するための接続設定情報を送信する。利用者が小売店に入った場合、近距離無線装置により形成された近距離無線網を介して、小売店独自の通信コンテンツを受信するために必要な情報が送信される。送信された情報に基づいて、端末装置はＷＬＡＮ通信装置と接続し、通信コンテンツを視聴できるようになる。小売店において配信される通信コンテンツは、新商品やキャンペーンに関する広告情報などが考えられる。このような態様により、利用者は、広告情報やキャンペーン情報などの通信コンテンツを簡易に取得することができる。【００２７】
図１は、本発明の実施形態にかかる通信システム１００の構成例を示す図である。通信システム１００は、端末装置３０と、広域ネットワーク５０と、コンテンツ供給装置５１０と、ＷＬＡＮ用基地局装置６０と、情報配信装置５２０を含む。【００２８】
広域ネットワーク５０は、ＷＬＡＮ用基地局装置６０とコンテンツ供給装置５１０とを接続する。コンテンツ供給装置５１０は、放送用フォーマットで作成された通信コンテンツを記憶する。広域ネットワーク５０を介して、ＷＬＡＮ用基地局装置６０が配信する通信コンテンツのデータのアップロードを行う。【００２９】
ＷＬＡＮ用基地局装置６０は、広域ネットワーク５０を介して、コンテンツ供給装置５１０からコンテンツを取得し、蓄積する。また、ＷＬＡＮ用基地局装置６０は、配信するコンテンツのフォーマットを変換し、ＷＬＡＮ方式を用いて、配信する。また、ＷＬＡＮ用基地局装置６０は、情報配信装置５２０に対して、接続設定情報とコンテンツ情報とを送信する。接続設定情報は、端末装置３０がＷＬＡＮ用基地局装置６０に接続するための情報を含む。また、コンテンツ情報には、配信可能なコンテンツのリストが含まれる。リストにおいては、それぞれのコンテンツを示す識別情報と、コンテンツを配信しているＩＰアドレスなどが対応づけられる。【００３０】
情報配信装置５２０は、店舗内において、端末装置３０がＷＬＡＮ用基地局装置６０との接続処理を行うと考えられるエリア、たとえば、小売店の店舗内入り口付近に設置される。また、情報配信装置５２０は、ＷＬＡＮ用基地局装置６０と有線、もしくは、無線により接続される。また、情報配信装置５２０は、ＷＬＡＮ用基地局装置６０から、接続設定情報とコンテンツ情報とを受信し、受信した接続設定情報とコンテンツ情報とを端末装置３０に送信する。【００３１】
端末装置３０は、図示しない放送局から放送波を受信して、放送コンテンツを取得する。また、端末装置３０は、接続設定情報、および、コンテンツ情報を情報配信装置５２０から取得する。また、端末装置３０は、取得した接続設定情報を用いて、ＷＬＡＮ用基地局装置６０との間の接続処理を実行する。また、端末装置３０は、取得したコンテンツ情報を用いて、コンテンツを受信できるように、通信手段の設定を変更する。端末装置３０は、ＷＬＡＮ用基地局装置６０から配信された通信コンテンツを受信して、受信した通信コンテンツのフォーマットを再生可能な放送用フォーマットに変換する。さらに、端末装置３０は、フォーマットを変換した通信コンテンツを表示もしくは出力する。なお、情報配信装置５２０は、接続設定情報とコンテンツ情報とをＷＬＡＮ用基地局装置６０からでなく、コンテンツ供給装置５１０から取得する構成であってもよい。【００３２】
図２は、図１のＷＬＡＮ用基地局装置６０の構成例を示す図である。ＷＬＡＮ用基地局装置６０は、破線で示すコンテンツ配信装置５４０とＡＰ（Ａｃｃｅｓｓ  Ｐｏｉｎｔ）５３０からなる。コンテンツ配信装置５４０とは、コンテンツ供給装置５１０からコンテンツを受信し、ＡＰ５３０に送信する装置である。ＡＰ５３０とは、コンテンツ配信装置５４０から配信されたコンテンツを端末装置３０に配信する装置である。図１および図２では、コンテンツ配信装置５４０とＡＰ５３０とが同一のＷＬＡＮ用基地局装置６０の内部に設置されているものとするが、コンテンツ配信装置５４０とＡＰ５３０とが、別の装置として存在してもよい。また、配信対象エリアが広い場合には、ＡＰ５３０のみを増設することによって、通信コンテンツを配信することが可能となる。また、ユニキャストなど配信側に負荷がかかる方式で通信コンテンツを配信する場合には、ＡＰ５３０を複数設けることによって負荷の分散を図ったり、配信の遅延の減少を図ったりしても良い。以降は、適宜、別装置とすることもある。【００３３】
図２において、コンテンツ配信装置５４０は、通信コンテンツ受信部２１５０と、通信コンテンツ記憶部２０１０と、フォーマット変換部２０２０と、情報送信部２１４０と、を含む。また、ＡＰ５３０は、通信コンテンツ配信部２０３０を含む。コンテンツ配信装置とＡＰとが別の装置である場合、破線で示す構成を含む。すなわち、コンテンツ配信装置は、ＡＰにコンテンツを配信するための通信コンテンツ送信部２０３１をさらに有し、また、ＡＰ５３０は、コンテンツ配信装置５４０から配信されたコンテンツを受信する通信コンテンツ受信部２１５０とを、さらに備える。【００３４】
通信コンテンツ受信部２１５０は、コンテンツ供給装置５１０から送信された通信コンテンツを受信する。受信した通信コンテンツは、通信コンテンツ記憶部２０１０に格納される。【００３５】
通信コンテンツ記憶部２０１０は、コンテンツ供給装置５１０から取得した通信コンテンツであって、店舗内において利用者に配信する通信コンテンツを記憶する。また、通信コンテンツ記憶部２０１０は、自己のＷＬＡＮ用基地局装置６０に接続するための接続設定情報と、配信する通信コンテンツに関するコンテンツ情報とを記憶する。【００３６】
フォーマット変換部２０２０は、通信コンテンツ記憶部２０１０に格納されている通信コンテンツを取得し、フォーマットの変換処理を行った後に、通信コンテンツ送信部２０３１に出力する。【００３７】
ここで、変換処理について具体的に説明する。図３（ａ）〜（ｄ）は、コンテンツのフォーマットの変換処理例を示す図である。図３（ａ）は、記録用フォーマット２００を示したものである。記録用フォーマット２００は、コンテンツ供給装置５１０から、ＷＬＡＮ用基地局装置６０に送信され、通信コンテンツ記憶部２０１０が保持しているコンテンツのフォーマットである。記録用フォーマット２００には、ＴＳパケット１１０で代表される第１ＴＳパケット１１０ａ〜第３ＴＳパケット１１０ｃと、タイムスタンプ１２０で代表される第１タイムスタンプ１２０ａ〜第３タイムスタンプ１２０ｃとが含まれる。【００３８】
フォーマット変換部２０２０は、通信コンテンツ記憶部２０１０に格納されている記録用フォーマット２００のコンテンツを取得し、記録用フォーマット２００に含まれるタイムスタンプ１２０と、フォーマット変換部２０２０のクロックカウンタが一致するのを待ち、放送用フォーマット２１０に変換する。フォーマット変換部２０２０のクロック周波数は、たとえば、２７ＭＨｚであってもよい。この放送用フォーマット２１０を示した図が、図３（ｂ）である。放送用フォーマット２１０には、ＴＳパケット１１０が含まれる。【００３９】
その後、フォーマット変換部２０２０は、放送用フォーマット２１０通信に適した通信用フォーマット２２０に変換する。通信用フォーマットは、図３（ｃ）に示される。通信用フォーマット２２０には、ヘッダ情報１２２とＴＳパケット１１０とが含まれる。ヘッダ情報１２２は、ＵＤＰ（Ｕｓｅｒ  Ｄａｔａｇｒａｍ  Ｐｒｏｔｏｃｏｌ）に関するヘッダ情報（以下、「ＵＤＰヘッダ情報」と表記する。）を含む。以後、通信用フォーマット２２０で示されるパケットをＩＰパケットと表記する。ここで、ＴＳパケット１１０は、それぞれのタイムスタンプ１２０の後段に配置される。いいかえると、ＩＰパケットは、各ＴＳパケット１１０の前に、ヘッダ情報１２２が配置されるように構成される。なお、ここでは、図示する都合上、３つのＴＳパケット１１０を示したが、３つ未満、もしくは、４つ以上のＴＳパケット１１０が含まれていてもよい。また、図３（ｄ）については後述する。【００４０】
図２に戻る。通信コンテンツ配信部２０３０は、フォーマット変換部２０２０から受け取った通信コンテンツを配信する。情報送信部２１４０は、通信コンテンツ記憶部２０１０に記憶された接続設定情報とコンテンツ情報とを情報配信装置５２０に送信する。
なお、コンテンツ配信装置５４０とＡＰ５３０が別装置である場合には、図示しない通信コンテンツ送信部２０３１及び通信コンテンツ受信部２０６０があり、フォーマット変換部２０２０から通信コンテンツ配信部２０３０への中継を行う。つまり、コンテンツ配信装置５４０に備えられたフォーマット変換部２０２０から出力された通信コンテンツを、通信コンテンツ送信部２０３１が、ＡＰ５３０に送信する。それを、ＡＰ５３０に備えられた通信コンテンツ受信部２０６０が受信し、通信コンテンツ配信部２０３０に送る。【００４１】
図４は、図１の情報配信装置５２０の構成例を示す図である。情報配信装置５２０は、設定情報記憶部３０１０と、設定情報取得部３０２０と、設定情報送信部３０３０と、情報受信部３１４０とを含む。情報受信部３１４０は、ＷＬＡＮ用基地局装置６０から送信された接続設定情報と、コンテンツ情報とを受信する。設定情報記憶部３０１０は、情報受信部３１４０にて受信された接続設定情報、および、コンテンツ情報を保持する。設定情報取得部３０２０は、設定情報記憶部３０１０が保持している接続設定情報、および、コンテンツ情報を取得する。また、設定情報取得部３０２０は、設定情報送信部３０３０に、取得した接続設定情報およびコンテンツ情報を送る。設定情報送信部３０３０は、設定情報取得部３０２０からの依頼に基づき、当該情報配信装置５２０が接続している端末装置３０にコンテンツ情報を送信する。【００４２】
図５は、図１の端末装置３０の構成例を示す図である。端末装置３０は、放送波受信部１０１０と、ＷＬＡＮ通信部１０２０と、コンテンツ処理部１０３０と、音声出力部１０４０と、表示部１０５０と、コンテンツ情報取得部１０６０と、接続設定情報取得部１０８０と、近距離無線通信部１１００と、コンテンツ情報記憶部１１１０と、コンテンツリスト生成部１１２０と、操作検知部１１３０と、コンテンツ決定部１１４０と、接続制御部１２００と、ＩＰパケット処理部１２１０とを含む。【００４３】
近距離無線通信部１１００は、近距離無線網を介して、情報配信装置５２０から送信された接続設定情報、および、コンテンツ情報を受信する。受信した接続設定情報は、接続設定情報取得部１０８０に送られる。また、受信したコンテンツ情報は、コンテンツ情報取得部１０６０に送られる。コンテンツ情報取得部１０６０は、近距離無線通信部１１００から送られたコンテンツ情報をコンテンツ情報記憶部１１１０に格納する。コンテンツ情報は、後述する初期コンテンツに関する情報を含む。また、コンテンツ情報取得部１０６０は、取得したコンテンツ情報に基づいて、初期コンテンツに関するコンテンツ情報をコンテンツ決定部１１４０に送り、その通信コンテンツを受信コンテンツとして決定するように依頼する。【００４４】
ここで、接続設定情報、および、コンテンツ情報について具体的に説明する。図６（ａ）、（ｂ）は、本実施形態における接続設定情報、および、コンテンツ情報の例を示す図である。図６（ａ）は、接続設定情報の例を示し、ＥＳＳＩＤ（Ｅｘｔｅｎｄｅｄ  Ｓｅｒｖｉｃｅ  Ｓｅｔ  ＩＤ）欄７００とＷＰＡ（ＷｉＦｉ  Ｐｒｏｔｅｃｔｅｄ  Ａｃｃｅｓｓ）鍵情報欄７１０とＩＰアドレス欄７２０とを含む。ＥＳＳＩＤ欄には、ＥＳＳＩＤが示される。ＥＳＳＩＤは、接続すべきＷＬＡＮ用基地局装置６０を判定するために用いられる。また、ＷＰＡ鍵情報欄７１０には、ＷＰＡ鍵情報が示される。ＷＰＡ鍵情報は、ＷＬＡＮ用基地局装置６０に接続する際に用いられる暗号鍵に関する情報である。【００４５】
図６（ｂ）は、コンテンツ情報の例を示している。コンテンツ情報には、コンテンツＩＤ欄７３０に示されるコンテンツＩＤと、コンテンツ名欄７４０に示されるコンテンツ名と、ＩＰアドレス欄７２０に示されるＩＰアドレスと、ポート番号欄７５０に示されるポート番号と、初期コンテンツ欄７６０に示される初期コンテンツに関する情報とが含まれる。【００４６】
コンテンツＩＤは、通信コンテンツを識別する識別子である。コンテンツ名は、その通信コンテンツの名称である。ＩＰアドレス、および、ポート番号は、その通信コンテンツを配信しているマルチキャストアドレス、および、ポート番号を示す。また、初期コンテンツとは、接続確立後、初めに受信するコンテンツを示す。図示するごとく、初期コンテンツ欄７６０に「○」と表示されたコンテンツが初期コンテンツとなる。【００４７】
図５に戻る。コンテンツ情報記憶部１１１０は、コンテンツ情報取得部１０６０において取得されたコンテンツ情報を保持する。保持されるコンテンツ情報は、コンテンツリスト生成部１１２０によって参照される。コンテンツリスト生成部１１２０は、コンテンツ情報記憶部１１１０に格納されているコンテンツ情報に基づいて、視聴可能な通信コンテンツのリストを生成する。また、コンテンツリスト生成部１１２０は、生成したコンテンツリストを表示部１０５０に表示する。【００４８】
操作検知部１１３０は、利用者からの指示を受け付けるインタフェースである。操作検知部１１３０は、当該端末装置３０に対して利用者が行った操作を検知する。利用者がコンテンツリストの表示を要求した場合には、コンテンツリスト生成部１１２０に対して、コンテンツリストの生成を依頼する。また、利用者が通信コンテンツを選択した場合には、選択されたコンテンツを視聴コンテンツとして決定するように、コンテンツ決定部１１４０に依頼する。【００４９】
コンテンツ決定部１１４０は、コンテンツ情報取得部１０６０、あるいは、操作検知部１１３０からの依頼に基づき、視聴する通信コンテンツを決定する。また、コンテンツ決定部１１４０は、決定した通信コンテンツが受信出来るように、ＷＬＡＮ通信部１０２０の設定を行う。接続設定情報取得部１０８０は、近距離無線通信部１１００で受信した接続設定情報を取得する。また、接続設定情報取得部１０８０は、取得した接続設定情報を接続制御部１２００に送る。【００５０】
接続制御部１２００は、近距離無線通信部１１００で受信した接続情報に含まれたＥＳＳＩＤと、各ＡＰからビーコンフレームなどで伝送され、ＷＬＡＮ通信部１０２０で取得したＥＳＳＩＤとを比較し、一致する場合に、そのＡＰとの接続を確立する。【００５１】
なお、受信した接続情報に含まれたＥＳＳＩＤに一致したＡＰが複数存在する場合には、最も受信強度の高いＡＰを自動的に選択するなどの処理を行えばよい。なお、同一事業者が複数の店舗を有する場合、ＥＳＳＩＤを全ての店舗で特定の値に設定しておき、端末装置３０に予めそのＥＳＳＩＤを設定してもよい。もしくは、その特定のＥＳＳＩＤをユーザの操作によって登録できるようにしておいてもよい。このようにすることによって情報配信装置を不要とする構成をとることも可能となる。また、ＷＬＡＮ用基地局装置６０に対する接続条件として鍵情報が必要な場合には、接続制御部１２００は、ＷＰＡ鍵情報を利用して、ＷＬＡＮ用基地局装置６０との接続を行う。【００５２】
放送波受信部１０１０は、アンテナとワンセグチューナとを含む。アンテナは、図示しない放送局によって放送された放送コンテンツを含む放送波を受信し、ワンセグチューナへ出力する。ワンセグチューナは、アンテナからの入力を受け、放送波に対して、周波数変換処理、Ａ／Ｄ（Ａｎａｌｏｇ／Ｄｉｇｉｔａｌ）変換処理、復調処理、誤り訂正復号処理などの受信処理を実行する。その後、ワンセグチューナは、受信処理が施された放送コンテンツを含む信号をコンテンツ処理部１０３０に出力する。コンテンツ処理部１０３０に出力される「放送コンテンツを含む信号」には、ＴＳパケットが含まれる。【００５３】
ＷＬＡＮ通信部１０２０は、ＷＬＡＮ用基地局装置６０から配信された通信コンテンツを受信する。ＷＬＡＮ通信部１０２０は、受信したコンテンツに対して、復調処理などを実行する。復調されたコンテンツは、ＩＰパケット処理部１２１０に送られ、処理される。【００５４】
具体的には、受信した通信コンテンツに対して、周波数変換処理、Ａ／Ｄ変換処理、各種復調処理、および、誤り訂正復号処理を実行し、ＩＰパケットを取得する。取得されるＩＰパケットのフォーマットは、たとえば、前述の図３（ｃ）に示される通信用フォーマット２２０となる。【００５５】
ＩＰパケット処理部１２１０は、ＷＬＡＮ通信部１０２０で取得したＩＰパケットから、ＴＳパケットを抽出する。ＩＰパケット処理部１２１０は、前述したコンテンツ供給装置５１０における変換の逆の処理を実行する。つまり、ＩＰパケット処理部１２１０は、取得したＩＰパケットを順に分解して、所望のＴＳパケットを生成する。ＴＳパケットの生成の際に、バッファリング処理などを実行して、ＴＳパケットを安定的に出力する機能も有してもよい。生成されたパケットは、Ｄｅｍｕｘ部９０へ出力される。【００５６】
具体的に説明する。たとえば、図３（ｃ）の通信用フォーマット２２０に示すようなフォーマットを受信した場合、ＩＰパケット処理部１２１０は、通信用フォーマット２２０で構成されたそれぞれのＩＰパケットからＴＳパケット１１０を抽出して、並べる処理を実行すればよい。並べる処理は、通信用フォーマット２２０に含まれたＴＳパケットの識別情報を用いて、図３（ｄ）に示された放送用フォーマット２１０となるように、それぞれのＩＰパケットに含まれたＴＳパケット１１０を整列する処理を含む。また、ＦＥＣ（Ｆｏｒｗａｒｄ  Ｅｒｒｏｒ  Ｃｏｒｒｅｃｔｉｏｎ）などの誤り訂正を行う処理を含んでも良い。変換後の放送用フォーマット２１０は、複数のＴＳパケット１１０を含み、図３（ｂ）に示される放送用フォーマット２１０と同様のフォーマットとなる。【００５７】
コンテンツ処理部１０３０は、放送波受信部１０１０によって受信された放送コンテンツ、あるいは、ＷＬＡＮ通信部１０２０によって受信された通信コンテンツを処理する。具体的には、コンテンツ処理部１０３０は、放送波受信部１０１０およびＩＰパケット処理部１２１０から出力されたＴＳパケットを処理する。処理されたコンテンツのうち、映像部分は表示部１０５０に送られ、また、音声部分は音声出力部１０４０に送られる。音声出力部１０４０は、コンテンツ処理部１０３０において処理されたコンテンツの音声部分を出力する。【００５８】
表示部１０５０は、コンテンツ処理部１０３０において処理されたコンテンツの映像部分を表示する。また、表示部１０５０は、コンテンツリスト生成部１１２０が生成したコンテンツリストを表示する。表示部１０５０は、Ｈ．２６４デコーダ９２が出力する映像を、ディスプレイに画面を表示する。【００５９】
図７は、図５のコンテンツ処理部１０３０の構成例を示す図である。コンテンツ処理部１０３０は、Ｄｅｍｕｘ部９０と、Ｈ２６４デコーダ９２と、ＡＡＣ（Ａｄｖａｎｃｅｄ  Ａｕｄｉｏ  Ｃｏｄｉｎｇ）デコーダ９４とを含む。【００６０】
Ｄｅｍｕｘ部９０は、ＴＳパケットに含まれるＰＩＤ（Ｐａｃｋｅｔ  ＩＤ）に基づいて、Ｈ２６４デコーダ９２、あるいは、ＡＡＣデコーダ９４に出力する。具体的には、Ｄｅｍｕｘ部９０は、ＳＩ／ＰＳＩ（Ｓｅｒｖｉｃｅ  Ｉｎｆｏｒｍａｔｉｏｎ  ／  Ｐｒｏｇｒａｍ  Ｓｐｅｃｉｆｉｃ  Ｉｎｆｏｒｍａｔｉｏｎ)と呼ばれる制御用情報が含まれたパケットを使用して、放送波受信部１０１０もしくはフォーマット変換部４８から出力されたＴＳパケットを選別し、対応するデコーダに出力する。ここで、ＴＳパケットが映像用のデータを含む場合、Ｄｅｍｕｘ部９０は、ＴＳパケットをＨ２６４デコーダ９２に出力する。また、ＴＳパケットが音声データを含む場合、Ｄｅｍｕｘ部９０は、ＴＳパケットをＡＡＣデコーダ９４に出力する。【００６１】
Ｈ２６４デコーダ９２では、映像に関連するＴＳパケットのヘッダを取り除き、ペイロードを連結して、ＰＥＳ（Ｐａｃｋｅｔｉｚｅｄ  Ｅｌｅｍｅｎｔａｒｙ  Ｓｔｒｅａｍ）パケットを生成する。また、Ｈ２６４デコーダ９２は、ＰＥＳパケットのヘッダを取り除き、ペイロードを連結して、ＥＳ（Ｅｌｅｍｅｎｔａｒｙ  Ｓｔｒｅａｍ）を生成する。さらに、Ｈ２６４デコーダ９２は、生成したＥＳを復号し、非圧縮の映像信号を出力部３６に出力する。【００６２】
ＡＡＣデコーダ９４は、音声が含まれたＴＳパケットについて、Ｈ２６４デコーダ９２と同様の動作を実行して、復号した音声データを出力部３６に出力する。【００６３】
上述したこれらの構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。【００６４】
図８は、図１の通信システム１００の接続処理例を示すシーケンス図である。まず、情報配信装置５２０は、端末装置３０に対し、ＷＬＡＮ用基地局装置６０と接続するための接続設定情報などを送信する（Ｓ６００）。端末装置３０は、情報配信装置５２０から受信した接続設定情報を用いて、ＷＬＡＮ用基地局装置６０との間で接続処理を実行する（Ｓ６０２）。接続が完了した後、端末装置３０は、ＷＬＡＮ用基地局装置６０から初期コンテンツを受信し（Ｓ６０４）、再生して表示する（Ｓ６０６）。【００６５】
図９は、図１の端末装置３０の動作例を示すフローチャートである。近距離無線を受信可能なエリアに入ると（Ｓ２０１）、端末装置３０は、情報配信装置５２０から送信される接続設定情報、および、コンテンツ情報の受信を待つ（Ｓ２０２のＮ）。接続設定情報、および、コンテンツ情報を受信すると（Ｓ２０２のＹ）、受信した接続設定情報に基づいてＷＬＡＮ用基地局装置６０との接続を確立する（Ｓ２０３）。【００６６】
Ｓ２０３の処理においては、まず、端末装置３０は、無線ＬＡＮのビーコンを受信できるかどうかを試みる。ビーコンが受信できないのであれば、当該端末装置３０が次の近距離無線受信エリアに入るまで待つ。ビーコンが受信できるのであれば、ビーコンに含まれるＥＳＳＩＤ情報と接続設定情報のＥＳＳＩＤとを比較する。これらのＥＳＳＩＤが一致したのであれば、無線ＬＡＮの接続を確立する。ＥＳＳＩＤが一致しないのであれば、次の近距離無線受信エリアに入るまで待つ。【００６７】
その後、受信したコンテンツ情報に基づき、初期コンテンツに設定されている通信コンテンツを受信するために、ＷＬＡＮ通信部１０２０を設定して、ＷＬＡＮ用基地局装置６０から配信される通信コンテンツを受信する（Ｓ２０５）。【００６８】
その後、利用者が他のコンテンツを視聴するために、コンテンツリストの表示を要求しているか否かを判定する（Ｓ２０６）。要求していない場合（Ｓ２０６のＮ）、処理をＳ２１０に移行させる。要求している場合（Ｓ２０６のＹ）、コンテンツリストを表示部１０５０に表示し（Ｓ２０７）、その後、利用者がコンテンツを選択するのを待つ（Ｓ２０８のＮ）。利用者によりコンテンツが選択された場合（Ｓ２０８のＹ）、選択されたコンテンツを視聴出来るようにＷＬＡＮ通信部１０２０の設定を変更し、視聴するコンテンツを切替える（Ｓ２０９）。その後、ＷＬＡＮの信号を受信できくなった場合、たとえば、ユーザが店舗から出たような場合（Ｓ２１０のＮ）、処理を終了する。ＷＬＡＮの信号を受信できている場合（Ｓ２１０のＹ）、Ｓ２０６からの処理を続ける。【００６９】
以上の態様により、配信側において、放送システムとは異なる通信システムを介して、再生側の端末装置にて再生可能な放送用に規定された形式のコンテンツが含まれたデータを配信し、再生側の端末装置において、受信したデータから、放送用に規定された形式のデータを抽出し、抽出されたデータを再生することによって、端末装置は、コンテンツを簡易に取得できる。【００７０】
ＷＬＡＮ用基地局装置６０とは異なる無線装置から、ＷＬＡＮ用基地局装置６０と接続するための接続情報を取得することによって、端末装置３０は、簡易に接続情報を取得でき、また、簡易に接続処理を実行できる。【００７１】
なお、図３に示す変換例においては、それぞれのＴＳパケットにつき、ＲＴＰヘッダ情報やＵＤＰヘッダ情報を付加するとして説明したが、これにかぎらず、たとえば、複数のＴＳパケットを一単位として、ヘッダ情報を付加してもよい。また、それぞれのＴＳパケットの長さ、および、区切りによらずに、ＴＳパケットを通信用フォーマット２２０に搭載してもよい。また、これら以外に誤り訂正用の情報やタイミング合わせのための情報、パケットを整列させるのに必要な情報を含んでも構わない。これらの場合であっても、端末装置３０における変換処理は、上記変換処理に対応するような逆の変換処理を実行することによって、上述と同様の効果を得られることは言うまでもない。
また、本実施形態においては、コンテンツ情報を情報配信装置から取得したが、ＷＬＡＮ基地局との接続確立後、ＷＬＡＮ基地局から取得することにしてもよい。【００７２】
また、端末装置３０が通信コンテンツを要求した際に、アクセス可能なＷＬＡＮ用基地局装置６０がなかった場合には、その通信コンテンツに対するビットレートの情報から別の通信手段でアクセスが可能であるかの判断を行い、別の通信手段でのアクセスを行ってもよい。別の通信手段は、セルラー用の無線通信手段でもよい。この際、判断条件としてユーザーが別な通信手段を所望しているかどうかの判断をさらに行ってもよい。また、コンテンツの遷移先をビットレートの情報とともに複数準備しておき、その中から最良の画質を選ぶようなものであってもよいし、通信費の観点からもっとも通信量の少ないものを選んでもよい。【００７３】
（第１の変形例）
次に、第１の変形例について説明する。なお、前述した実施形態と共通する部分については同一の符号を付して説明を簡略化する。まず概要を説明する。第１の変形例は、第１配信システムに関する。第１配信システムは、端末装置と、コンテンツ配信装置と、複数のＡＰとを含む。第１配信システムは、ショッピングセンターなどの比較的大規模な小売店に好適である。【００７４】
前述した実施形態のように、複数の広告情報等が含まれたコンテンツリストを受信し、ユーザが受信したコンテンツリストの中から、視聴するコンテンツを選択してもよいが、コンテンツが多数ある場合には、選択する作業が煩わしい場合がある。そこで、第１配信システムにおいては、端末装置が位置するエリアに応じて、自動的に、受信するコンテンツが切り替わる構成とした。【００７５】
詳細は後述するが、第１配信システムにおいては、ショッピングセンターの店舗ごと、あるいは、店内のエリアごとに、複数のＡＰが設置される。ＡＰには、コンテンツを配信する機能の一部が搭載される。ＡＰは、端末装置とコンテンツ配信装置との間の通信を中継する。端末装置は、複数のＡＰのうちのいずれかに接続する。端末装置は、接続しているＡＰからエリア情報を取得し、当該端末装置が位置する店舗内の場所を認識する。また、端末装置は、エリア情報に基づいて、エリア情報に示されるエリアにおいて最適なコンテンツ（以下、「エリアコンテンツ」と表記する。）を決定する。【００７６】
エリアコンテンツは、接続するＡＰにより、内容が切り替わる。なお、エリアコンテンツには、たとえば、ＡＰが設置された場所付近の店舗や商品の広告が考えられる。このような態様により、コンテンツの提供者は、エリアを限定して広告情報等を配信することにより、広告効果を上げることができる。利用者にとっても、通信料をかけずに、その場で利用できる情報を得ることが出来る。なお、以下においては、エリアコンテンツとコンテンツとを区別しないで表記することとする。【００７７】
図１０は、第１の変形例にかかる第１配信システム４１０の構成例を示す図である。第１配信システム４１０は、端末装置３０で代表される第１端末装置３０ａと第２端末装置３０ｂと第３端末装置３０ｃと第４端末装置３０ｄと、ＡＰ５３０で代表される第１ＡＰ５３０ａ〜第８ＡＰ５３０ｈと、情報配信装置５２０で代表される第１情報配信装置５２０ａと第２情報配信装置５２０ｂと、コンテンツ配信装置５４０とを含む。なお、情報配信装置５２０は、図４に示した情報配信装置５２０と同様の構成をとるため、説明を省略する。図示するごとく、複数のＡＰ５３０と、複数の情報配信装置５２０と、コンテンツ配信装置５４０とは、店舗６００内に設置される。なお、端末装置３０、ＡＰ５３０の台数は、図１０に図示した台数に限定されない。また、情報配信装置５２０は、店舗出入口付近の店舗６００外に設置してもよい。【００７８】
第１配信システム４１０では、情報配信装置５２０により、店舗内の複数の出入り口付近に、近距離無線の信号を受信可能なエリアが形成される。また、ＡＰ５３０もしくはコンテンツ配信装置５４０が設置された近傍に、ＷＬＡＮ通信が可能なエリアが形成される。情報配信装置５２０は、近距離無線の信号を受信可能なエリア内の端末装置３０に対して、接続設定情報とコンテンツ情報を送信する。また、ＡＰ５３０は、エリアコンテンツと対応付けられた独自の識別情報を含むＡＰ情報を保持する。【００７９】
ＡＰ情報は、ＡＰ５３０を示す識別情報と、ＡＰ５３０が配信するエリアコンテンツを取得するための情報とを含む。いいかえると、コンテンツ配信装置５４０と第１ＡＰ５３０ａ〜第８ＡＰ５３０ｈは、それぞれ異なる識別情報を含むＡＰ情報を有する。端末装置３０は、接続しているＡＰ５３０からＡＰ情報を受信する。端末装置３０は、受信したＡＰ情報に含まれるＩＰアドレスとポート番号とにもとづいて、エリアコンテンツを取得する。このような態様により、端末装置３０は、自身の周囲に設置されたＡＰ５３０が位置する場所に応じて、取得すべきエリアコンテンツを簡易に切り替えられる。【００８０】
図１１（ａ）〜（ｂ）は、第１の変形例におけるコンテンツ情報、および、ＡＰ情報の例を示す図である。【００８１】
図１１（ａ）は、コンテンツ情報の例である。図１１（ａ）は、図６（ｂ）と同様であるため、説明を簡略化する。コンテンツＩＤ欄７３０に示されるコンテンツＩＤのうち、「１０１」に対応するＩＰアドレス欄７２０とポート番号欄７５０には、「ＡＰ情報依存」が含まれる。「ＡＰ情報依存」とは、後述するＡＰ情報により設定されることを示す。【００８２】
図１１（ｂ）は、ＡＰ情報の例である。ここでは、説明の都合上、複数のＡＰ情報を示したが、前述したように、ＡＰ５３０は、自身を示すいずれか１つのＡＰ情報のみを保持する。ＡＰ情報は、ＡＰ識別子欄７７０に示されるＡＰ識別子と、エリアコンテンツ欄７８０に示されるエリアコンテンツを受信するためのＩＰアドレス、ポート番号を含む。ＡＰ識別子は、ＡＰ５３０を識別する識別子である。エリアコンテンツ欄のIPアドレス欄、および、ポート番号欄は、エリアコンテンツを受信するためのマルチキャストアドレス、および、ポート番号を示す。【００８３】
図１２は、図１０のコンテンツ配信装置５４０の構成例を示す図である。コンテンツ配信装置５４０は、図２に示すＷＬＡＮ用基地局装置６０において、通信コンテンツ送信部２０３１を含むコンテンツ配信装置５４０の構成と同様である。【００８４】
図１３は、図１０のＡＰ５３０の構成例を示す図である。ＡＰ５３０は、通信コンテンツ配信部２０３０と、ＡＰ情報付加部２０４０と、ＡＰ情報記憶部２０５０と、通信コンテンツ受信部２０６０とを含む。ＡＰ情報記憶部２０５０は、自身のＡＰ５３０を示すＡＰ識別子を含むＡＰ情報を保持している。保持しているＡＰ情報は、ＡＰ情報付加部２０４０により参照される。ＡＰ情報付加部２０４０は、ＡＰ情報記憶部２０５０に格納されているＡＰ情報を通信コンテンツ配信部２０３０に送る。【００８５】
通信コンテンツ受信部２０６０は、コンテンツ配信装置５４０から配信された通信コンテンツを受信して、通信コンテンツ配信部２０３０に転送する。通信コンテンツ配信部２０３０は、通信コンテンツ受信部２０６０から転送された通信コンテンツに対して、ＡＰ情報付加部２０４０から送信されたＡＰ情報を付加する。通信コンテンツはマルチキャストで送信することにしているが、ユニキャストでの送受信も可能である。この場合、ＩＰ接続直後にのみユニキャストで送信するという方法でＡＰ情報を付加することとする。ただし、ＡＰ情報を定期的にマルチキャストで送信するなどの方法も可能である。【００８６】
図１０に戻る。端末装置３０は、図５に示した端末装置３０と同様の構成をとるため、説明を簡略化する。端末装置３０は、ＡＰ５３０からＡＰ情報を受信する。端末装置３０は、受信したＡＰ情報にもとづいて、エリアコンテンツを取得する。【００８７】
具体的に説明する。ここで、端末装置３０は、図１１（ｂ）のＡＰ識別子欄７７０に示されるＡＰ識別子が「Ａ」となるＡＰ５３０に接続しているものと仮定する。この場合において、ユーザがエリアコンテンツ、たとえば、図１１（ａ）のコンテンツＩＤ欄７３０に示されるコンテンツＩＤ「１０１」を取得することを希望した場合、端末装置３０は、接続しているＡＰ５３０から、ＡＰ識別子が「Ａ」に設定されているＡＰ情報を受信する。【００８８】
端末装置３０は、取得したＩＰアドレス等に基づいて、ＷＬＡＮ通信部１０２０に対する設定を実行する。このような態様により、端末装置３０は、ＡＰ識別子「Ａ」に対応するエリアコンテンツを取得できることとなる。【００８９】
以上の態様をとることにより、ユーザが場所を移動した際に、端末装置３０は、その移動先の場所のコンテンツに自動的に切り替えることが出来る。利用者が、エリアコンテンツを視聴しながら移動すると、端末装置３０の接続先は、移動先の近傍に設置されたＡＰ５３０に切り替わる。端末装置３０の表示は、切り替わり先のＡＰ５３０が設置された場所に適したエリアコンテンツに切り替わる。【００９０】
図１４は、図１０の第１配信システム４１０の動作例を示すシーケンス図である。まず、コンテンツ配信装置５４０は、全てのＡＰ５３０に向けて、マルチキャストにより、エリアコンテンツを含む全てのコンテンツの配信を開始する（Ｓ１）。端末装置３０が第１ＡＰ５３０ａの近くに移動した場合、端末装置３０は、第１ＡＰ５３０ａとの間で無線ＬＡＮ接続を確立する（Ｓ２）。その後、端末装置３０が自身のＩＰアドレスを含むＡＰ情報配信要求を第１ＡＰ５３０ａに送信し、それに応じて、第１ＡＰ５３０ａは、端末装置３０に対して、ＡＰ情報をユニキャストで送信する（Ｓ３）。端末装置３０は、ＩＧＭＰ（Ｉｎｔｅｒｎｅｔ  Ｇｒｏｕｐ  Ｍａｎａｇｅｍｅｎｔ  Ｐｒｏｔｏｃｏｌ）でマルチキャストグループに参加することにより、初期コンテンツの受信を開始し（Ｓ４）、デコードして表示する（Ｓ５）。【００９１】
ここで、端末装置３０が第１ＡＰ５３０ａから離れ、第２ＡＰ５３０ｂの近傍に移動すると、端末装置３０は、第１ＡＰ５３０ａとの接続を切断して、第２ＡＰ５３０ｂとの接続を確立する（Ｓ７）。端末装置３０は、ＩＧＭＰでマルチキャストグループに参加することにより（Ｓ８）、初期コンテンツの受信を開始し（Ｓ９）、デコードして表示する（Ｓ１０）。ここで、ユーザがエリアコンテンツの視聴を希望する場合、取得したＡＰ情報にしたがって、端末装置３０は、別のマルチキャストグループを選択する処理を実行し（Ｓ１１）、さらに、エリアコンテンツを受信し（Ｓ１２）、表示する（Ｓ１３）。なお、Ｓ２〜Ｓ５の処理は、Ｓ７〜Ｓ１０の処理に対応している。【００９２】
図１５は、図１０の端末装置３０の動作例を示すフローチャートである。図１５に示すフローチャートは、図９に示したフローチャートの処理に加え、Ｓ２０３の処理の後に後述するＳ２００とＳ２０４の処理を含み、Ｓ２０９とＳ２１０の処理の間に、後述するＳ３０１からＳ３０４の処理を含む。Ｓ２０３の処理の後、端末装置３０は、接続しているＡＰ５３０からユニキャストでＡＰ情報を受信する（Ｓ２００）。その後、端末装置３０は、コンテンツ情報を受信するのを待つ（Ｓ２０４）。コンテンツ情報を受信していない場合（Ｓ２０４のＮ）、Ｓ２０３の処理に戻る。コンテンツ情報を受信した場合（Ｓ２０４のＹ）、Ｓ２０５の処理に移る。【００９３】
Ｓ２０９の処理の後、端末装置３０は、接続しているＡＰ５３０が切り替わったか否かについて判定する（Ｓ３０１）。切り替わっていない場合（Ｓ３０１のＮ)、処理をＳ２１０に移行する。切り替わった場合（Ｓ３０１のＹ）、端末装置３０は、ＡＰ情報を受信する（Ｓ３０３）。受信したＡＰ情報を内部に保存して、設定変更する（Ｓ３０４）。保存されたＡＰ情報は、エリアコンテンツを受信する場合などにおいて利用される。その後、処理をＳ２１０に移行する。【００９４】
図１６は、図１０のＡＰ５３０の動作例を示すフローチャートである。ＡＰ５３０は、コンテンツ配信装置５４０から転送されたコンテンツを受信し、受信したコンテンツをマルチキャスト配信する（Ｓ１０１）。以降、この配信は継続的に行われる。その後、ＡＰ５３０は、新たに端末装置３０が接続するのを待つ（Ｓ１０２）。接続された場合（Ｓ１０２のＹ）、ＡＰ５３０は、接続した端末装置３０にユニキャストでＡＰ情報を送信し（Ｓ１０３）、Ｓ１０４の処理に移る。接続されていない場合（Ｓ１０２のＮ）、Ｓ１０１の処理に戻る。Ｓ１０４において、配信が終了している場合（Ｓ１０４のＹ）、処理を終了する。配信が終了していない場合（Ｓ１０４のＮ）、Ｓ１０１の処理に戻る。【００９５】
以上の態様により、ユーザが場所を移動した際に、端末装置３０は、移動先に設置されたＡＰ５３０から、その移動先の場所に適したエリアコンテンツを簡易に取得できる。また、エリアコンテンツは、場所に応じて自動的に切り替わるため、ユーザの利便性を向上できる。【００９６】
（第２の変形例）
次に、第２の変形例について説明する。なお、前述した実施形態、または、変形例と共通する部分については同一の符号を付して説明を簡略化する。まず概要を説明する。第２の変形例は、第２配信システムに関する。第２配信システムは、端末装置と、コンテンツ配信装置と、ＡＰと、情報配信装置とを含む。第２配信システムは、映画館などの閉鎖的な複数の空間を有する施設や、施設内のエリアを細分化したい場合などに好適である。【００９７】
第２の変形例にかかる第２配信システム４２０では、端末装置３０は、接続しているＡＰ５３０からＡＰ情報を受信して、コンテンツの取得先を切り替えていた。第２の変形例にかかる第２配信システムにおいては、各エリアに近距離無線網を形成する情報配信装置を設置し、端末装置は、情報配信装置から、前述のＡＰ情報に相当する情報配信装置情報を受信する構成とする。この態様により、端末装置は、接続しているＡＰもしくはコンテンツ配信装置あるいは情報配信装置から、エリアに応じて、取得する通信コンテンツを切り替えることができる。この場合、情報配信装置の設置が必要となるが、第１の変形例に比べて、より細かくエリアを区分することが可能となる。【００９８】
図１７は、第２の変形例にかかる第２配信システム４２０の構成例を示す図である。第２配信システム４２０は、端末装置３０で代表される第１端末装置３０ａ〜第４端末装置３０ｄと、情報配信装置５２０で代表される第１情報配信装置５２０ａ〜第４情報配信装置５２０ｄと、第１ＡＰ５３０ａ、第２ＡＰ５３０ｂと、コンテンツ配信装置５４０とを含む。また、第２配信システム４２０は、エリア５５０で代表される第１エリア５５０ａ〜第４エリア５５０ｄを含む。それぞれのエリア５５０には、情報配信装置５２０が設置される。端末装置３０は、近距離無線網を介して、情報配信装置５２０から受信する情報配信装置情報に基づいて、当該端末装置３０が位置するエリア５５０を認識する。【００９９】
ここで、情報配信装置情報等について説明する。図１８（ａ）〜（ｂ）は、第２の変形例におけるコンテンツ情報、および、情報配信装置情報の例を示す図である。【０１００】
図１８（ａ）は、コンテンツ情報の例である。図１８（ａ）は、図１１（ａ）と同様であるため、説明を簡略化する。コンテンツＩＤ欄７３０に示されるコンテンツＩＤのうち、「００２」に対応するＩＰアドレス欄とポート番号欄は、「情報配信装置情報依存」となる。「情報配信装置情報依存」とは、図１１（ａ）において説明した「ＡＰ情報依存」と同様に、後述する図１８（ｂ）の情報配信装置情報により、コンテンツＩＤに示されるエリアコンテンツを取得するためのＩＰアドレスとポート番号とが設定されることを示す。【０１０１】
図１８（ｂ）は、情報配信装置情報の例である。ここでは、説明の都合上、複数の情報配信装置情報を示したが、前述したように、情報配信装置５２０は、自身を示すいずれか１つの情報配信装置情報のみを保持する。情報配信装置情報は、情報配信装置ＩＤ欄７９０に示される情報配信装置ＩＤと、エリアコンテンツ欄７８０に示されるエリアコンテンツのＩＰアドレス、ポート番号を含んでいる。情報配信装置ＩＤは、情報配信装置５２０を識別する識別子である。エリアコンテンツ欄のＩＰアドレス欄、および、ポート番号欄は、図１１（ｂ）において説明したＩＰアドレス欄、および、ポート番号欄と同様であるため説明を省略する。【０１０２】
図１９は、図１７の情報配信装置５２０の構成例を示す図である。情報配信装置５２０は、図４に示した情報配信装置５２０の構成に加え、情報配信装置情報記憶部３０４０と、情報配信装置情報取得部３０５０と、情報配信装置情報送信部３０６０とをさらに含む。【０１０３】
情報配信装置情報記憶部３０４０は、当該情報配信装置５２０の情報配信装置情報を保持している。保持している情報配信装置情報は、当該情報配信装置５２０が設置されているエリア５５０ごとに異なる。情報配信装置情報記憶部３０４０が保持している情報配信装置情報は、情報配信装置情報取得部３０５０によって参照される。情報配信装置情報取得部３０５０は、情報配信装置情報記憶部３０４０に格納されている情報配信装置情報を取得する。情報配信装置情報取得部３０５０は、取得した情報配信装置情報を情報配信装置情報送信部３０６０に送る。情報配信装置情報送信部３０６０は、端末装置３０が当該情報配信装置５２０に接続しているか否かを判定する。また、情報配信装置情報送信部３０６０は、近距離無線通信網を介して、情報配信装置情報取得部３０５０から送られた情報配信装置情報を接続中の端末装置３０に送信する。【０１０４】
図２０は、図１７の端末装置３０の構成例を示す図である。図２０に示す端末装置３０は、図５に示した端末装置３０の構成に加え、エリア情報取得部１１５０をさらに含む。エリア情報取得部１１５０は、近距離無線通信部１１００が受信した情報配信装置情報に基づいて、エリア情報を取得する。エリア情報とは、情報配信装置情報に含まれる情報配信装置ＩＤを示し、端末装置３０がどのエリアに存在しているかを示す情報である。エリア情報取得部１１５０は、取得したエリア情報をコンテンツ決定部１１４０に送信する。コンテンツ決定部１１４０は、送信されたエリア情報を用いて、表示部１０５０に表示すべきエリアコンテンツを切り替える。【０１０５】
図１７に戻る。コンテンツ配信装置５４０は、通信コンテンツ受信部と通信コンテンツ記憶部と通信コンテンツ取得部と通信コンテンツ送信部とを含む。通信コンテンツ受信部と通信コンテンツ記憶部と通信コンテンツ取得部と通信コンテンツ配信部のそれぞれは、図１２に図示したコンテンツ配信装置５４０の通信コンテンツ受信部２１５０と通信コンテンツ記憶部２０１０とフォーマット変換部２０２０と通信コンテンツ送信部２０３１と同様であるため、説明を省略する。【０１０６】
ＡＰ５３０は、通信コンテンツ受信部と、通信コンテンツ配信部とを含む。通信コンテンツ配信部および通信コンテンツ受信部は、図１３に図示したＡＰ５３０の通信コンテンツ配信部２０３０および通信コンテンツ受信部２０６０と同様であるため、説明を省略する。【０１０７】
図２１は、図１７の端末装置３０の動作例を示すフローチャートである。図２１に示すフローチャートは、図１５に示したフローチャートにおいて、Ｓ３０１〜Ｓ３０４の処理に代え、Ｓ４０１〜Ｓ４０４の処理を含む。また、図２１に示すフローチャートは、図１５のＳ２００とＳ２０４の処理を省いているが、この変形例においては接続情報配信装置情報を第１の変形例のように予め受信するのではなく、エリアコンテンツを受信中のみ受信することにしているためである。こちらも予め受信しておくようにしてもよい。【０１０８】
Ｓ２０９の処理の後、端末装置３０は、受信可能な情報配信装置５２０が切り替わったか否かについて判定する（Ｓ４０１）。切り替わっていない場合（Ｓ４０１のＮ)、処理をＳ２１０に移行させる。切り替わった場合（Ｓ４０１のＹ）、端末装置３０は、エリアコンテンツを受信中であるか否かについて判定する（Ｓ４０２）。エリアコンテンツを受信中でない場合（Ｓ４０２のＮ）、処理をＳ２１０に移行する。エリアコンテンツを受信している場合（Ｓ４０２のＹ）、情報配信装置情報の受信を待つ（Ｓ４０３）。情報配信装置情報を受信した場合（Ｓ４０３のＹ）、受信した情報配信装置情報に基づいて、ＷＬＡＮ通信部１０２０の設定を変更する（Ｓ４０４）。その後、処理をＳ２１０に移行する。情報配信装置情報を受信していない場合（Ｓ４０３のＮ）、処理をＳ２１０に移行する。【０１０９】
以上の態様により、各エリアに近距離無線網を形成する情報配信装置５２０を設置し、端末装置３０は、情報配信装置５２０からも、ＡＰ情報に相当する情報配信装置情報を受信することによって、取得する通信コンテンツを簡易に切り替えることができる。また、店舗内のエリアをより細かく区分できる。【０１１０】
（第３の変形例）
次に、第３の変形例について説明する。なお、前述した実施形態、または、変形例と共通する部分については同一の符号を付して説明を簡略化する。まず概要を説明する。第３の変形例は、第３配信システムに関する。第３配信システムは、端末装置と、コンテンツ配信装置と、ＡＰと、情報配信装置とを含む。第３配信システムは、映画館などの閉鎖的な複数の空間を有する施設や、エリアを細分化したい場合などに好適である。【０１１１】
第２配信システムとの違いは、コンテンツ情報を情報配信装置から送信するのに代えて、ＡＰから送信する点である。これにより、１台あたりの情報配信装置のコストが低減できる。このため、第３配信システムが設置される施設内に、より多くの情報配信装置を設置することができ、エリアを細分化できる。【０１１２】
図示しない第３配信システムは、図１７に図示した第２配信システム４２０と同様に、端末装置３０と情報配信装置５２０とＡＰ５３０とコンテンツ配信装置５４０とを含む。端末装置３０は、情報配信装置５２０から近距離無線通信網を介して、接続設定情報および情報配信装置情報を取得する。ただし、受信する情報配信装置情報には、エリアコンテンツに関する情報が含まれない。端末装置３０は、ＡＰ５３０からエリアコンテンツに関する情報を取得する。【０１１３】
コンテンツ情報は、情報配信装置ＩＤごとに規定されたコンテンツ（エリアコンテンツ）と、すべての情報配信装置に共通に規定されたコンテンツとを含む。すべての情報配信装置に共通に規定されたコンテンツとは、たとえば、第３配信システムが映画館に設置される場合、映画館の営業日案内に関するコンテンツを含む。このようなコンテンツは、ユーザが移動しても、内容が切り替わることはなく、どのエリアにおいても視聴できる。【０１１４】
図２２（ａ）〜（ｂ）は、第３の変形例におけるコンテンツ情報、および、情報配信装置情報の例を示す図である。図２２（ａ）は、コンテンツ情報の例を示す。コンテンツ情報は、図１８（ａ）に示される情報と、情報配信装置ＩＤ欄７９０に示される情報配信装置ＩＤとを含む。情報配信装置ＩＤが「全エリア」と設定されるコンテンツＩＤ「００１」と「００４」は、すべての情報配信装置に共通に規定されたコンテンツとなる。情報配信装置ＩＤが「全エリア」以外の情報に設定されるコンテンツＩＤ「００２」と「００３」は、上述した通り、情報配信装置ＩＤごとに設定されるコンテンツとなる。これらの点以外については、図１８（ａ）におけるコンテンツ情報と同様である。図２２（ｂ）は、情報配信装置ＩＤ欄７９０に示される情報配信装置情報である。上述の通り、情報配信装置情報は、エリアコンテンツに関する情報を含まず、情報配信装置ＩＤのみが含まれる。【０１１５】
端末装置３０は、図２０に図示した端末装置３０と同様の構成をとるため、説明を省略する。また、情報配信装置５２０は、図１９に図示した情報配信装置５２０と比べ、設定情報記憶部３０１０が接続設定情報のみを記憶し、コンテンツ情報を記憶していない点において異なるが、その他については同様であるため、説明を省略する。【０１１６】
図２３は、第３の変形例にかかるコンテンツ配信装置５４０の構成例を示す図である。コンテンツ配信装置５４０は、通信コンテンツ受信部２１５０と、通信コンテンツ記憶部２０１０と、フォーマット変換部２０２０と、通信コンテンツ送信部２０３１と、コンテンツ情報記憶部２０７０と、コンテンツ情報取得部２０８０と、コンテンツ情報送信部２０９０と、を含む。通信コンテンツ受信部２１５０と通信コンテンツ記憶部２０１０とフォーマット変換部２０２０と通信コンテンツ送信部２０３１については、図１２において説明した構成と同様であるため、説明を省略する。【０１１７】
コンテンツ情報記憶部２０７０は、コンテンツ情報を保持している。保持しているコンテンツ情報は、コンテンツ情報取得部２０８０によって参照される。コンテンツ情報取得部２０８０は、コンテンツ情報記憶部２０７０が保持しているコンテンツ情報を取得し、コンテンツ情報送信部２０９０に送る。コンテンツ情報送信部２０９０は、端末装置３０がＡＰ５３０に接続している場合、コンテンツ情報取得部２０８０から受け取ったコンテンツ情報をＡＰ５３０に送信する。【０１１８】
図２４は、第３の変形例にかかるＡＰ５３０の構成例を示す図である。ＡＰ５３０は、は、通信コンテンツ配信部２０３０と、通信コンテンツ受信部２０６０と、コンテンツ情報送信部２０９０と、コンテンツ情報受信部２０９２とを含む。通信コンテンツ配信部２０３０と、通信コンテンツ受信部２０６０は、図１３において説明した構成と同様であるため、説明を省略する。【０１１９】
コンテンツ情報受信部２１３０は、コンテンツ配信装置５４０から送信されたコンテンツ情報を受信する。コンテンツ情報送信部２０９０は、コンテンツ情報受信部２０９２にて受信したコンテンツ情報を接続している端末装置３０に送信する。【０１２０】
図２５は、第３の変形例にかかる端末装置３０の動作例を示す図である。このフローチャートは、以下のＳ２０２〜Ｓ２０５の処理を除き、図２１に示したフローチャートと同様となる。Ｓ２０２においては、端末装置３０は、情報配信装置５２０から接続設定情報を受信する（Ｓ２０２）。ここで、接続設定情報を受信した場合（Ｓ２０２のＹ）、端末装置３０は、ＷＬＡＮ接続を確立し（Ｓ２０３）、ＡＰ５３０からコンテンツ情報を受信するのを待つ（Ｓ２０４）。ＡＰ５３０からコンテンツ情報を受信した場合（Ｓ２０４のＹ）、受信したコンテンツ情報に基づき、端末装置３０は、通信コンテンツを受信する（Ｓ２０５）。【０１２１】
以上の態様により、コンテンツ情報を情報配信装置５２０から送信するのに代えて、ＡＰ５３０から送信することによって、１台あたりの情報配信装置のコストが低減できる。このため、第３配信システムが設置される施設内に、より多くの情報配信装置を設置することができ、エリアを細分化できる。【０１２２】
（第４の変形例）
次に、第４の変形例について説明する。なお、前述した実施形態、または、変形例と共通する部分については同一の符号を付して説明を簡略化する。まず概要を説明する。第４の変形例は、第４配信システムに関する。第４配信システムは、端末装置と、コンテンツ配信装置と、ＡＰと、情報配信装置とを含む。情報配信装置は、通常情報配信装置と特典情報配信装置とを含む。第３配信システムとの違いは、特典情報配信装置を含む点である。通常情報配信装置と特典情報配信装置については後述する。【０１２３】
第４配信システムは、比較的大規模なエリアを有する施設、たとえば、複数の遊戯施設を備える遊園地、動物園、あるいは、イベントを開催するイベント会場などに好適である。【０１２４】
遊園地で配信されるコンテンツは、飲食店のメニューや遊戯施設の混雑具合、あるいは、売店の商品や施設内のイベント開催情報などである。なお、遊戯施設等の混雑具合に関するコンテンツは、周辺に設置されたビデオカメラなどによって撮影された映像から生成される。また、コンテンツは、特典コンテンツを含む。特典コンテンツとは、ユーザが特定の場所に移動した場合や特定の人物に遭遇した場合などの特定の条件を満たした場合にのみ視聴可能なコンテンツである。ここで、コンテンツは、マルチキャストで配信されるため、偶然或いは意図的に傍受することが可能である。したがって、特典コンテンツである場合は、傍受を回避することが望ましい。【０１２５】
そこで、第４配信システムにおいては、通信コンテンツを暗号化して配信し、それを復号するための復号鍵をコンテンツ情報に付加することによって、コンテンツ情報を取得した利用者のみが、そのコンテンツを視聴出来るようにする。【０１２６】
また、遊戯施設に関連するコンテンツ、たとえば、遊技施設を優先的に利用できる優先利用チケットなどは、その遊戯施設の周辺で配信されることが望ましい。そこで、第４配信システムにおいては、第３配信システムと同様に、コンテンツ情報にエリア情報を付加し、その周辺でのみ視聴出来るようにする。【０１２７】
第４配信システムは、第３配信システムと同様の構成をとる。ただし、情報配信装置５２０は、通常情報配信装置５２２と特典情報配信装置５２４とを含む。特典情報配信装置５２４は、特定の施設の周辺に配置される情報配信装置である。また、特典情報配信装置５２４は、特定の人物により所持されてもよい。【０１２８】
特典情報配信装置５２４は、特典コンテンツ情報を有する。特典コンテンツ情報は、暗号化された特典コンテンツに関するコンテンツ情報である。また、特典コンテンツ情報は、暗号化された特典コンテンツを復号するための復号鍵を含む。【０１２９】
図２６は、第４の変形例における特典コンテンツ情報の例を示す図である。特典コンテンツ情報は、コンテンツＩＤ欄７３０に示されるコンテンツＩＤと、コンテンツ名欄７４０に示されるコンテンツ名と、情報配信装置ＩＤ欄７９０に示される情報配信装置ＩＤと、ＩＰアドレス欄７２０に示されるＩＰアドレスと、ポート番号欄７５０に示されるポート番号と、復号鍵欄８００に示される復号鍵とを含む。特典コンテンツ情報は、特典情報配信装置５２４のみから取得できる情報である。この特典コンテンツ情報を取得した端末装置３０は、取得した特典コンテンツ情報に対応する特典コンテンツを受信し、視聴することができる。情報配信装置ＩＤは、特典コンテンツ情報を取得可能な特典情報配信装置５２４の情報配信装置ＩＤを示している。また、復号鍵は、特典コンテンツを復号するための復号鍵である。【０１３０】
図２７は、第４の変形例にかかる端末装置３０の構成例を示す図である。端末装置３０は、図２０に図示した端末装置３０の構成に加え、コンテンツ復号部１１６０をさらに含む。【０１３１】
近距離無線通信部１１００は、特典情報配信装置５２４から、特典コンテンツ情報を受信する。近距離無線通信部１１００は、取得した特典コンテンツ情報をコンテンツ情報取得部１０６０に送る。コンテンツ情報取得部１０６０は、コンテンツ情報記憶部１１１０に特典コンテンツ情報を記憶する。記憶される特典コンテンツ情報には、特典コンテンツを復号するための復号鍵が含まれる。【０１３２】
ＷＬＡＮ通信部１０２０は、ＡＰ５３０から、暗号化された特典コンテンツを受信し、コンテンツ復号部１１６０に送る。コンテンツ復号部１１６０は、ＷＬＡＮ通信部１０２０によって受信した特典コンテンツを復号する。コンテンツ情報取得部１０６０は、復号の際に、コンテンツ情報記憶部１１１０に格納されている特典コンテンツに対応する復号鍵を取得し、その復号鍵を用いて特典コンテンツを復号する。復号した特典コンテンツは、ＩＰパケット処理部１２１０、コンテンツ処理部１０３０に送られ順に処理される。ＷＬＡＮ通信部１０２０が暗号化されていない通信コンテンツを受信した場合、その通信コンテンツは、前述と同様に、ＩＰパケット処理部１２１０に送られ、処理される。ここで、本変形例では、コンテンツ復号部１１６０、ＩＰパケット処理部１２１０、という順に処理されているが、ＩＰパケット処理部１２１０、コンテンツ復号部１１６０という順にすれば、暗号をＴＳパケット内でのみ行っておくことができ、既存の放送用の暗号との同様の回路で処理できる。【０１３３】
ＡＰ５３０は、図１３に図示したＡＰ５３０の構成からＡＰ情報付加部２０４０とＡＰ情報記憶部２０５０とを除いた構成となり、その他の構成は同様であるため、説明を省略する。コンテンツ配信装置５４０は、図１２に図示したコンテンツ配信装置５４０の構成と同様であるため、説明を省略する。【０１３４】
図２８は、第４の変形例にかかる特典情報配信装置５２４の構成例を示す図である。特典情報配信装置５２４は、特典コンテンツ情報記憶部３１１０と、特典コンテンツ情報取得部３１２０と、特典コンテンツ情報送信部３１３０とを含む。特典コンテンツ情報記憶部３１１０は、特典コンテンツ情報を保持している。保持している特典コンテンツ情報は、特典コンテンツ情報取得部３１２０によって参照される。特典コンテンツ情報取得部３１２０は、特典コンテンツ情報記憶部３１１０が保持している特典コンテンツ情報を取得し、取得した特典コンテンツ情報を特典コンテンツ情報送信部３１３０に送る。特典コンテンツ情報送信部３１３０は、特典コンテンツ情報取得部３１２０から取得した特典コンテンツ情報を近距離無線通信網を介して、端末装置３０に送信する。【０１３５】
第４配信システムの端末装置３０における動作は、図２１に示したフローチャートとほぼ同様の処理となるため、図示を省略する。図２１のフローチャートと異なる点としては、Ｓ２０４の処理において特典コンテンツ情報を受信し、かつ、Ｓ４０２の処理において、受信した特典コンテンツ情報に対応する特典コンテンツを受信した場合、端末装置３０は、受信した特典コンテンツ情報に含まれた復号鍵を用いて、特典コンテンツを復号する点である。【０１３６】
なお、出口付近に設置された情報配信装置５２０は、近距離無線通信網を介して、端末装置３０に対し、「ありがとうございました。またお越しください」という内容のメッセージやコンテンツを配信しても良い。【０１３７】
以上の態様により、端末装置３０は、特定の場所に移動した場合や特定の人物に遭遇した場合などの特定の条件を満たした場合にのみ視聴可能なコンテンツを簡易に取得できるである。また、通信コンテンツを暗号化して配信し、それを復号するための復号鍵をコンテンツ情報に付加することによって、コンテンツ情報を取得した利用者のみが、そのコンテンツを視聴できる。この変形例では、特典接続情報配信装置と接続できることが特定の条件となっているが、条件を満たすかどうかと復号鍵を渡すかどうかの対応付けが取れさえすれば良いので、特定のコンテンツを視聴するとデータ放送などで復号鍵情報が得られるといった条件付けや、特定の場所をカメラで撮影するとＱＲ（Ｑｕｉｃｋ  Ｒｅｓｐｏｎｓｅ）コードなどの技術を用いて復号鍵情報が得られるなどの条件付けを行っても良い。【０１３８】
（第５の変形例）
次に、第５の変形例について説明する。なお、前述した実施形態、または、変形例と共通する部分については同一の符号を付して説明を簡略化する。まず概要を説明する。第５の変形例は、第５配信システムに関する。第５配信システムは、端末装置と、ＷＬＡＮ基地局装置とコンテンツ供給装置とを含み、実施形態の通信システム１００から情報配信装置を除いた構成となる。通信システム１００において、端末装置３０は、情報配信装置５２０から接続設定情報を取得していたのに対し、第５配信システムにおいては、ＷＬＡＮ用基地局装置６０から取得する。端末装置は、ＷＬＡＮ用基地局装置６０から取得した接続設定情報に基づいて、ＷＬＡＮ通信網に接続する。また、端末装置は、コンテンツ情報も、ＷＬＡＮ用基地局装置６０から取得する。【０１３９】
図２９は、第５の変形例における第５配信システム４５０の構成例を示す図である。第５配信システム４５０は、端末装置３０と、ＷＬＡＮ用基地局装置６０と、広域ネットワーク５０と、コンテンツ供給装置５１０とを含む。前述したように、第５配信システム４５０は、通信システム１００の情報配信装置５２０を除いた構成となる。ＷＬＡＮ用基地局装置６０は、端末装置３０に対して、接続設定情報とコンテンツ情報とを送信する。端末装置３０は、ＷＬＡＮ用基地局装置６０から送信された接続設定情報とコンテンツ情報とを取得する。その他の処理は、通信システム１００と同様であるため、説明を省略する。【０１４０】
図３０は、図２９の端末装置３０の構成例を示す図である。端末装置３０は、図５の構成に比べ、近距離無線通信部１１００が存在しない点が異なる。図５に示す近距離無線通信部１１００が果たしていた機能は、ＷＬＡＮ通信部１０２０が実行する。【０１４１】
ＷＬＡＮ通信部１０２０は、ＷＬＡＮ用基地局装置６０から接続設定情報を受信する。また、ＷＬＡＮ通信部１０２０は、受信した接続設定情報を接続設定情報取得部１０８０に送る。また、ＷＬＡＮ通信部１０２０は、ＷＬＡＮ用基地局装置６０により送信されたコンテンツ情報を受信し、受信したコンテンツ情報をコンテンツ情報取得部１０６０に送る。【０１４２】
接続設定情報取得部１０８０は、ＷＬＡＮ通信部１０２０で受信した接続設定情報を取得する。コンテンツ情報取得部１０６０は、ＷＬＡＮ通信部１０２０から送られたコンテンツ情報をコンテンツ情報記憶部１１１０に格納する。【０１４３】
コンテンツ情報取得部１０６０は、ＷＬＡＮ通信部１０２０により受信されたコンテンツ情報に基づいて、初期コンテンツ関する情報をコンテンツ決定部１１４０に転送する。さらに、コンテンツ情報取得部１０６０は、コンテンツ決定部１１４０に対して、転送したコンテンツを受信コンテンツとして決定するように依頼する。端末装置３０におけるその他の機能については、前述した図５の説明と同様であるため、ここでは説明を省略する。【０１４４】
図３１は、図２９のＷＬＡＮ用基地局装置６０の構成例を示す図である。図３１に示すＷＬＡＮ用基地局装置６０は、図２に示した構成と、図４に示した情報配信装置５２０の構成を含む。具体的には、ＷＬＡＮ用基地局装置６０は、通信コンテンツ受信部２１５０と、通信コンテンツ記憶部２０１０と、フォーマット変換部２０２０と、通信コンテンツ送信部２０３１と、コンテンツ情報記憶部２０７０と、コンテンツ情報取得部２０８０と、コンテンツ情報送信部２０９０と、接続設定情報記憶部２１００と、接続設定情報取得部２１１０と、接続設定情報送信部２１２０を含む。【０１４５】
コンテンツ情報記憶部２０７０と接続設定情報記憶部２１００は、図３に示した設定情報記憶部３０１０に対応する。また、コンテンツ情報取得部２０８０と接続設定情報取得部２１１０は、図３に示した設定情報取得部３０２０に対応する。また、コンテンツ情報送信部２０９０と接続設定情報送信部２１２０は、図３に示した設定情報送信部３０３０に対応する。コンテンツ情報記憶部２０７０とコンテンツ情報取得部２０８０とコンテンツ情報送信部２０９０と接続設定情報記憶部２１００と接続設定情報取得部２１１０と接続設定情報送信部２１２０、および、通信コンテンツ受信部２１５０と通信コンテンツ記憶部２０１０とフォーマット変換部２０２０と通信コンテンツ送信部２０３１の機能については、前述した図２もしくは図４の説明と同様であるため、ここでは説明を省略する。【０１４６】
図３２は、図２９の端末装置３０の動作例を示すフローチャートである。このフローチャートは、図９に図示したフローチャートのＳ２０１〜Ｓ２０３に代えて、以下のＳ５０１〜Ｓ５０３の処理を含む。まず、利用者が店舗に入った場合、端末装置３０は、ＷＬＡＮ用基地局装置６０から、ＥＳＳＩＤを受信する（Ｓ５０１）。受信したＥＳＳＩＤが端末装置３０内に予め設定されているＥＳＳＩＤと一致する場合、受信したＥＳＳＩＤに対応するＷＬＡＮ用基地局装置６０との接続を確立する（Ｓ５０２）。【０１４７】
その後、端末装置３０は、ＷＬＡＮ用基地局装置６０からコンテンツ情報を受信するのを待つ（Ｓ５０３のＮ）。コンテンツ情報を受信した場合（Ｓ５０３のＹ）、端末装置３０は、受信したコンテンツ情報に基づいて、ＷＬＡＮ通信部１０２０を設定し、ＷＬＡＮ用基地局装置６０から通信コンテンツを受信する（Ｓ２０５）。以降の処理は、図８に示したフローチャートと同様であるため、説明を省略する。【０１４８】
なお、ＷＬＡＮ通信網との接続情報を提供するためのＡＰを別途設置してもよい。また接続情報を提供するためのＡＰはインフラモードでなくアドホックモードであっても良い。その場合、端末装置３０は、原則として、図３０のＷＬＡＮ通信部１０２０をアドホックモードに設定する。また、ＷＬＡＮ用基地局装置６０は、インフラストラクチャモード専用のＡＰとして機能するように設定される。以上の態様のもと、利用者が店舗内に入ったことを契機として、端末装置３０は、アドホックモード専用のＡＰとの間でＷＬＡＮ通信網に接続する。その後、端末装置３０は、ＷＬＡＮ通信部１０２０をインフラストラクチャモードの設定に切り替える。ここで、端末装置３０は、アドホックモード専用のＡＰとは別のインフラストラクチャーモード専用のＡＰであるＷＬＡＮ用基地局装置６０に接続すればよい。【０１４９】
以上の態様により、情報配信装置なしに配信システムを構成できるため、コストを低減できる。また、端末側も接続情報を受信する部分が不要となるため、端末のコストが低減できる。【０１５０】
なお、第１の変形例〜第４の変形例においては、実施形態を基にして、近距離無線通信網を形成する情報配信装置を含む構成として説明したが、第５の変形例と同様に、情報配信装置を含まない構成であってもよい。【０１５１】
（第６の変形例）
次に、第６の変形例にかかる第６配信システムについて説明する。なお、前述した実施形態、または、変形例と共通する部分については同一の符号を付して説明を簡略化する。まず概要を説明する。第６配信システムは、スーパー等の小売店に好適である。第６配信システムにおいては、小売店においてサービスを提供している側が、端末装置を提供し、また、管理する。ここで、小売店内において、商品が陳列されている棚などに固定端末装置が設置され、また、買い物客が利用するカートなどに端末装置が設置される。【０１５２】
先の実施形態および変形例と異なる点は、コンテンツ配信装置が、コンテンツ情報および制御情報をマルチキャストで配信する点、および、固定端末装置が内部にコンテンツを保持している点である。なお、配信される制御情報には、各端末装置に再生させるべきコンテンツを指示するための情報が含まれる。このような態様により、柔軟なシステム構築が可能となり、小売店等は、ユーザに対して、適切な情報を効率的に提供できる。詳細は後述する。【０１５３】
図３３は、第６の変形例にかかる第６配信システム４６０の構成例を示す図である。第６配信システム４６０は、コンテンツ配信装置５４０と、ＡＰ５３０と、端末装置３０と固定端末装置７０と、位置情報設定装置７４と、情報収集装置７２とを含む。【０１５４】
コンテンツ配信装置５４０は、マルチキャストを用いてコンテンツ、コンテンツ情報、制御情報を送信する。コンテンツ情報とは、実施形態および変形例と同様に、コンテンツID、コンテンツ名、IPアドレス、ポート番号を含む情報である。本変形例におけるコンテンツ情報は、コンテンツ配信装置５４０からマルチキャストを用いて配信される。制御情報とは、固定端末装置７０および端末装置３０に対して、どのコンテンツを受信・再生するかを指示するための情報である。【０１５５】
情報収集装置７２は端末装置３０と、位置情報設定装置７４は固定端末装置７０と、近距離無線通信方式を用いて、それぞれ通信を実行する。位置情報設定装置７４は、固定端末装置７０に対して、位置情報を送信する。位置情報には、当該固定端末装置７０が設置されている場所が示されたエリア情報や、その場所の近辺に設置された基地局に接続するための接続設定情報が含まれる。位置情報設定装置７４は、小売店等の店員により操作される。店員は、当該固定端末装置７０が設置されている場所を位置情報設定装置７４に入力し、位置情報の送信を実行する。【０１５６】
固定端末装置７０や端末装置３０は、ＡＰ５３０との間で無線ＬＡＮにより通信を実行する。固定端末装置７０および端末装置３０は、ＡＰ５３０から、通信コンテンツやコンテンツ情報、制御装置を受信する。端末装置３０と固定端末装置７０は、近距離無線通信方式を用いて、互いに通信する。【０１５７】
固定端末装置７０は、端末装置３０の要求に応じて、位置情報を送信してもよい。端末装置３０は、送信された位置情報に基づいて、受信すべきコンテンツや、接続先を変更してもよい。具体的には、端末装置３０は、自身がいる位置に対応する位置情報を、付近に設置された固定端末装置７０から、所定の近距離無線通信を用いて、取得する。なお、固定端末装置７０が保持している内蔵コンテンツは、コンテンツ配信装置５４０から転送される。この転送処理は、通常のマルチキャスト配信が行われていない夜間などにユニキャストを用いて実行されてもよい。【０１５８】
図３４は、第６の変形例にかかる制御情報の例を示す図である。この制御情報には、エリア毎に設定される情報が含まれる。具体的には、エリア欄８１０と、種別欄８２０と、コンテンツＩＤ欄７３０と、コンテンツ名欄７４０と、ＩＰアドレス欄７２０と、ポート番号欄７５０とを含む。【０１５９】
種別欄８２０は、コンテンツの種別を示す。コンテンツの種別は、通信コンテンツ、内臓コンテンツを含む。通信コンテンツとは、情報を配信すべき装置がマルチキャスト配信しているコンテンツである。内臓コンテンツとは、固定端末装置７０が内部のメモリに保持しているコンテンツである。【０１６０】
図３５は、図３３のコンテンツ配信装置５４０の構成例を示す図である。コンテンツ配信装置５４０は、通信コンテンツ記憶部２０１０と、フォーマット変換部２０２０と、通信コンテンツ受信部２０６０と、制御情報生成部２１６０と、コンテンツ配信部２１７０と、コンテンツ転送部２１８０とを含む。通信コンテンツ受信部２０６０と、通信コンテンツ記憶部２０１０と、フォーマット変換部２０２０は、他の変形例と同様であるため、ここでの説明は割愛する。【０１６１】
制御情報生成部２１６０は、コンテンツ情報と制御情報を生成し、それらをマルチキャストにより配信するようにコンテンツ配信部２１７０に依頼する。コンテンツ配信部２１７０は、フォーマット変換部２０２０で変換された通信コンテンツと、制御情報生成部２１６０で生成されたコンテンツ情報と制御情報とをマルチキャストを用いて配信している。【０１６２】
コンテンツ転送部２１８０は、通信コンテンツ記憶部２０１０に保持されているコンテンツを固定端末装置７０に転送する。この転送はマルチキャストではなく、ユニキャストが用いられる。どのコンテンツをどの固定端末装置７０に転送するかは、図示しないユーザインタフェイスに入力された店員等からの指示に従う。店員等が１つあるいは複数のコンテンツについての転送指示を入力すると、コンテンツ転送部２１８０は、通常のマルチキャスト配信を行っていない時間に、順次コンテンツを転送する。【０１６３】
図３６は、図３３の固定端末装置７０の構成例を示す図である。固定端末装置７０は、コンテンツ処理部１０３０と、音声出力部１０４０と、表示部１０５０と、ＩＰパケット処理部１２１０と、制御情報処理部１２２０と、ＷＬＡＮ通信部１０２０と、コンテンツ決定部１１４０と、コンテンツ取得部１３００と、接続制御部１２００と、位置情報記憶部１２４０と、コンテンツ記憶部１２９０と、近距離無線通信部１１００と、位置情報取得部１２５０と、位置情報送信部１２６０と、受信端末間通信Ｉ／Ｆ１２７０と、位置情報要求受信部１２８０とを含む。そのうち、コンテンツ処理部１０３０と、音声出力部１０４０と、表示部１０５０とについては、他の変形例と同様の働きをするため、ここでの説明は割愛する。【０１６４】
ＩＰパケット処理部１２１０は、ＷＬＡＮ通信部１０２０で受信したＩＰパケットを処理する。具体的には、受信したＩＰパケットが、通信コンテンツの一部であれば、コンテンツ処理部１０３０にその処理を依頼する。一方、処理したＩＰパケットが、制御情報であれば、その処理を制御情報処理部１２２０に依頼する。【０１６５】
制御情報処理部１２２０は、ＩＰパケット処理部１２１０からの依頼を受け、制御情報を処理する。具体的には、位置情報記憶部１２４０が保持しているエリアに関する制御情報、すなわち、当該固定端末装置７０が設置されているエリアに関する制御情報を抽出し、再生するべきコンテンツに関する情報をコンテンツ決定部１１４０に出力する。【０１６６】
コンテンツ決定部１１４０は、制御情報処理部１２２０から受け取ったコンテンツに関する情報に基づいて、再生するべきコンテンツを決定する。再生するべきコンテンツが通信コンテンツであった場合、ＷＬＡＮ通信部１０２０に対して、当該コンテンツの受信を依頼する。一方、再生するべきコンテンツが内蔵コンテンツであれば、コンテンツ取得部１３００に当該内蔵コンテンツの取得・再生を依頼する。【０１６７】
コンテンツ記憶部１２９０は、内蔵コンテンツを保持している。コンテンツ取得部１３００は、コンテンツ決定部１１４０からの依頼に基づき、コンテンツ記憶部１２９０が保持している内蔵コンテンツを取得し、その再生処理をコンテンツ処理部１０３０に依頼する。ＷＬＡＮ通信部１０２０は、コンテンツ配信装置５４０が送信するコンテンツ、制御情報を受信する。制御情報およびマルチキャストを用いて配信されるコンテンツを受信した際には、その処理をＩＰパケット処理部１２１０に依頼する。一方、夜間などにコンテンツ配信装置５４０からユニキャストで転送されたコンテンツを受信した際には、当該コンテンツを内蔵コンテンツとしてコンテンツ記憶部１２９０に格納する。【０１６８】
近距離無線通信部１１００は、位置情報設定装置７４との通信を行う。近距離無線通信部１１００は、位置情報設定装置７４からの位置情報を受信すると、当該位置情報を位置情報記憶部１２４０に格納する。位置情報記憶部１２４０は、近距離無線通信部１１００を介して受信した位置情報を保持している。位置情報とは、当該固定端末装置７０が設置されている位置に関する情報であり、位置を示すエリア情報およびコンテンツ配信装置５４０に接続するための接続設定情報を含んでいる。【０１６９】
なお、本変形例では、ＡＰを備えていないが、通信コンテンツの中継を行うＡＰを含んでもよい。その際、エリア毎に接続するべきＡＰあるいはコンテンツ配信装置が設定されていてもよい。位置情報には、それらのＡＰあるいはコンテンツ配信装置に接続するための接続設定情報が含まれていてもよい。また、位置情報は、自身の対応する制御情報を抽出する際に制御情報処理部１２２０から、端末装置３０からの要求に応じて位置情報を送信する際に位置情報取得部１２５０から参照されてもよい。【０１７０】
受信端末間通信Ｉ／Ｆ１２７０は、端末装置３０との間の通信を行う。端末装置３０から位置情報要求を受信した場合には、その内容を位置情報要求受信部１２８０に出力する。また、位置情報送信部１２６０の依頼に基づいて、位置情報を、位置情報要求を送信してきた端末装置３０に送信する。【０１７１】
位置情報要求受信部１２８０は、受信端末間通信Ｉ／Ｆ１２７０から位置情報要求を受け取ると、位置情報の取得を位置情報取得部１２５０に依頼する。位置情報取得部１２５０は、位置情報要求受信部１２８０からの依頼に基づき、自身の位置情報を位置情報記憶部１２４０から取得し、当該位置情報を位置情報送信部１２６０に出力する。位置情報送信部１２６０は、位置情報取得部１２５０から受け取った位置情報の送信を受信端末間通信Ｉ／Ｆ１２７０に依頼する。【０１７２】
図３７は、図３３の端末装置３０の構成例を示す図である。端末装置３０は、放送波受信部１０１０と、ＷＬＡＮ通信部１０２０と、コンテンツ処理部１０３０と、音声出力部１０４０と、表示部１０５０と、コンテンツ情報取得部１０６０と、コンテンツ情報記憶部１１１０と、コンテンツリスト生成部１１２０と、ＩＰパケット処理部１２１０と、制御情報処理部１２２０と、操作検知部１１３０と、接続制御部１２００と、受信端末間通信Ｉ／Ｆ１２７０と、位置情報要求送信部１３２０と、位置情報受信部１３３０と、位置情報記憶部１３４０と、経路情報生成部１３５０と、経路情報記憶部１３６０と、コンテンツ決定部１１４０とを含む。【０１７３】
そのうち、ＷＬＡＮ通信部１０２０と、コンテンツ情報記憶部１１１０と、放送波受信部１０１０と、コンテンツ処理部１０３０と、音声出力部１０４０と、表示部１０５０と、コンテンツリスト生成部１１２０と、コンテンツ情報取得部１０６０と、操作検知部１１３０と接続制御部１２００とは、他の変形例と同様の働きを持つため、ここでの説明は割愛する。【０１７４】
ＩＰパケット処理部１２１０は、ＷＬＡＮ通信部１０２０で受信したＩＰパケットを処理する。処理したＩＰパケットが通信コンテンツの一部であった場合、その処理をコンテンツ処理部１０３０に依頼する。一方、処理したＩＰパケットが、コンテンツ情報であった場合には、その内容をコンテンツ情報記憶部１１１０に格納する。また、制御情報であった場合には、制御情報処理部１２２０にその処理を依頼する。【０１７５】
制御情報処理部１２２０は、ＩＰパケット処理部１２１０から制御情報を受け取ると、自身のエリアに対応する制御情報を抽出する。具体的には、位置情報記憶部１３４０が保持している位置情報に含まれるエリア情報に対応する制御情報を抽出する。そして、当該制御情報が示すコンテンツに関する情報をコンテンツ決定部１１４０に出力し、その再生を依頼する。【０１７６】
コンテンツ決定部１１４０は、制御情報処理部１２２０あるいは操作検知部１１３０からの依頼に基づき、再生するコンテンツを決定する。具体的には、通常はコンテンツ決定部１１４０からの依頼に基づいたコンテンツを受信・再生する。しかし、操作検知部１１３０においてユーザからのコンテンツ指定に係る操作が検知されたときには、そのコンテンツを受信・再生する。また、制御情報処理部１２２０からの依頼が内蔵コンテンツの再生であった場合、内蔵コンテンツの代わりにあらかじめ定められた通信コンテンツを受信・再生するが、そのほかに関しては、固定端末装置７０におけるコンテンツ決定部と同様の処理を行う。【０１７７】
受信端末間通信Ｉ／Ｆ１２７０は、周辺に設置されている固定端末装置７０との通信を行う。位置情報要求送信部１３２０からの依頼に基づき固定端末装置７０に対して位置情報要求を送信し、それ応じて固定端末装置７０から送信する位置情報を受信すると、位置情報受信部１３３０に出力する。【０１７８】
位置情報要求送信部１３２０は、定期的に周辺の固定端末装置７０に対して位置情報要求を送信する。位置情報受信部１３３０は、固定端末装置７０が送信する位置情報を受信する。受信した位置情報は、位置情報記憶部１３４０に格納される。また、受信した位置情報に含まれる接続設定情報が、現在接続しているコンテンツ配信装置またはＡＰに関するものとは異なる場合には、接続先の変更を、接続制御部１２００に依頼する。また、受信した位置情報に含まれるエリア情報は、経路情報生成部１３５０に送られ、当該端末装置３０の移動経路を示す経路情報を生成する際に経路情報を生成するのに用いられる。【０１７９】
位置情報記憶部１３４０は、位置情報受信部１３３０が固定端末装置７０から受信した位置情報を保持している。保持している位置情報は、制御情報処理部１２２０が、当該端末装置３０に対応する制御情報を抽出する際にエリア情報を参照する。経路情報生成部１３５０は、位置情報受信部１３３０において受信したエリア情報に基づいて、自身の移動経路に関する移動経路情報を生成し、経路情報記憶部１３６０に格納する。経路情報記憶部１３６０は、経路情報生成部１３５０において生成された経路情報を保持している。保持している経路情報は、近距離無線通信を介して情報収集装置に送信され、将来の販促活動などの参考にされてもよい。【０１８０】
図３８は、図３３の位置情報設定装置７４の構成例を示す図である。図示のごとく、位置情報設定装置７４は、ユーザＩ／Ｆ１３７０、位置情報記憶部１２４０、位置情報取得部１２５０、位置情報送信部１２６０を備えている。【０１８１】
ユーザＩ／Ｆ１３７０は、ユーザによる指示を受け付ける。ユーザが、エリアを指定し、そのエリアに対応する位置情報を固定端末装置７０へ送信する指示を行うと、ユーザＩ／Ｆ１３７０は、位置情報取得部１２５０に対して、指示された位置情報の取得を依頼する。位置情報記憶部１２４０は、複数のエリアに関する位置情報を保持している。この位置情報は、ユーザＩ／Ｆ１３７０にユーザが入力することによって、生成される。【０１８２】
位置情報取得部１２５０は、ユーザＩ／Ｆ１３７０からの依頼に基づき、位置情報記憶部１２４０から対応する位置情報を取得し、その送信を位置情報送信部１２６０に依頼する。位置情報送信部１２６０は、位置情報取得部１２５０からの依頼に基づき、位置情報を固定端末装置７０に対して近距離無線通信を介して送信する。【０１８３】
なお、本変形例では、位置情報設定装置７４あるいは固定端末装置７０から接続設定情報を取得していたが、固定端末装置７０および端末装置３０が接続設定情報を予め保持していてもよい。また、本変形例はＡＰを備えていないが、他の例と同様にAPを備えてもよい。その場合、ＡＰは、コンテンツ配信装置から受信したコンテンツを、端末装置３０や固定端末装置７０に転送する働きをする。【０１８４】
また、固定端末装置７０が保持している内蔵コンテンツは、夜間などにコンテンツ配信装置５４０からユニキャストを用いて転送したが、ＤＶＤ（Ｄｉｇｉｔａｌ  Ｖｉｄｅｏ  Ｄｉｓｋ）などの記憶媒体を介して固定端末装置へ内蔵コンテンツを転送してもよい。また、転送の指示をコンテンツ配信装置に入力していたが、後に説明する第１０の変形例のように、ネットワークを介して接続されている外部制御サーバを備えている場合、外部制御サーバに指示を入力してもよい。その他、制御情報として、コンテンツの再生開始および再生終了等を指示する内容のものを送信してもよい。また、制御情報は、エリア毎だけではなく、個々の端末に対しての指示を送信してもよい。【０１８５】
（第７の変形例）
次に、第７の変形例について説明する。なお、前述した実施形態、または、変形例と共通する部分については同一の符号を付して説明を簡略化する。まず概要を説明する。第７の変形例は、第７配信システムに関する。【０１８６】
図３９は、第７の変形例にかかる第７配信システム４７０の構成例を示す図である。第７配信システム４７０は、コンテンツ配信装置５４０と、情報配信装置５２０と、ＡＰ５３０と、端末装置３０で代表される第１端末装置３０ａと第２端末装置３０ｂと、発信端末装置７６で代表される第１発信端末装置７６ａと第２発信端末装置７６ｂとを含む。【０１８７】
この変形例は、テーマパーク等の広大エリア内におけるサービスに好適である。前述の変形例との相違点は、ユーザが持っている発信端末装置７６が撮影したコンテンツを配信する点である。このような態様により、ユーザは、自己のコンテンツを所定の領域内の端末に対して自由に配信できる。【０１８８】
端末装置３０および発信端末装置７６は、情報配信装置５２０から近距離無線等を介して、接続設定情報を取得し、その情報に基づいてコンテンツ配信装置５４０あるいはＡＰ５３０との接続を確立する。また、発信端末装置７６は、コンテンツ配信装置５４０に対して、コンテンツを配信するためのマルチキャストアドレスの割り当てを要求し、取得する。発信端末装置７６は、コンテンツ配信装置５４０から取得したマルチキャストアドレスと、自身が配信する暗号化されたコンテンツを復号するために必要な復号鍵を、近距離無線等を介して端末装置３０に通知する。【０１８９】
端末装置３０は、これまでの変形例における端末装置３０と同様に、コンテンツ配信装置５４０からマルチキャスト配信される通信コンテンツを受信するが、このほか、発信端末装置７６による独自コンテンツも受信する。通信コンテンツに関するコンテンツ情報は、第６の変形例と同様に、コンテンツ配信装置５４０からマルチキャストで配信されるが、独自コンテンツに関する情報は、近距離無線を介して、発信端末装置７６から通知される。つまり、近距離無線を介して情報が通知されている発信端末装置７６のみから、端末装置３０は、その独自コンテンツと情報を受信でき、また、再生することが可能となる。なお、独自コンテンツに関するコンテンツ情報には、通信コンテンツに関するコンテンツ情報に含まれる情報の他に、端末装置３０が独自コンテンツを復号するために必要な復号鍵等が含まれる。【０１９０】
図４０は、図３９のコンテンツ配信装置５４０の構成例を示す図である。コンテンツ配信装置５４０は、通信コンテンツ受信部２０６０と、通信コンテンツ記憶部２０１０と、フォーマット変換部２０２０と、コンテンツ情報生成部２１９０と、コンテンツ配信部２１７０と、アドレス情報記憶部２２００と、アドレス割当部２２１０と、アドレス送信部２２２０と、アドレス要求受信部２２３０と、アドレス削除要求受信部２２４０と、アドレス削除処理部２２５０とを含む。【０１９１】
このうち、通信コンテンツ受信部２０６０、通信コンテンツ記憶部２０１０、フォーマット変換部２０２０、コンテンツ配信部２１７０については、他の例と同様の働きをするためここでの説明を割愛する。【０１９２】
コンテンツ情報生成部２１９０は、コンテンツ情報を生成し、その配信をコンテンツ配信部２１７０に依頼する。なお、本変形例おいては、制御情報は配信せず、コンテンツ配信装置５４０から端末装置３０に対して、受信・再生すべきコンテンツの指示は行われない。【０１９３】
アドレス要求受信部２２３０は、発信端末装置７６からのアドレス要求を受信する。アドレス要求を受信すると、送信元の発信端末装置７６へアドレスを割り当てる旨をアドレス割当部２２１０に依頼する。【０１９４】
アドレス割当部２２１０は、アドレス要求受信部２２３０からの依頼に基づき、発信端末装置７６に対して、マルチキャストアドレスを割り当てる。具体的には、アドレス情報記憶部２２００に記憶されている現在使用中のマルチキャストアドレスを考慮し、そこに記憶されていないマルチキャストアドレスとして利用できるアドレスを割り当てる。割り当てたマルチキャストアドレスの送信をアドレス送信部２２２０に依頼する。また、アドレス割当部２２１０は、割当てたマルチキャストアドレスをアドレス情報記憶部２２００に格納する。アドレス情報記憶部２２００は、アドレス割当部が発信端末装置７６に割当てたアドレスに関する情報を保持している。保持しているアドレス情報は、アドレス割当部２２１０により追加、参照され、アドレス削除処理部２２５０により削除される。【０１９５】
アドレス送信部２２２０は、アドレス割当部２２１０の依頼に基づいて、アドレス情報を送信する。アドレス削除要求受信部２２４０は、マルチキャストアドレスが不要となった発信端末装置７６が送信するアドレス削除要求を受信し、当該マルチキャストアドレスに関する情報の消去をアドレス削除処理部２２５０に依頼する。アドレス削除処理部２２５０は、アドレス削除要求受信部２２４０からの依頼に基づき、不要になったマルチキャストアドレスを、アドレス情報記憶部２２００が保持している情報から削除する。【０１９６】
図４１は、図３９の端末装置３０の構成例を示す図である。端末装置３０は、放送波受信部１０１０、ＷＬＡＮ通信部１０２０、コンテンツ処理部１０３０、音声出力部１０４０、表示部１０５０、ＩＰパケット処理部１２１０、コンテンツ情報取得部１３８０、コンテンツリスト生成部１１２０、コンテンツ決定部１１４０、コンテンツ情報記憶部１３９０、接続制御部１２００、操作検知部１１３０、接続設定情報受信部１４２０、近距離無線通信部１１００、アドレス情報受信部１４００を含む。【０１９７】
このうち、放送波受信部１０１０、ＷＬＡＮ通信部１０２０、音声出力部１０４０、表示部１０５０、接続制御部１２００、操作検知部１１３０、コンテンツリスト生成部１１２０、コンテンツ決定部１１４０は他の変形例と同様の働きをするため、ここでの説明は割愛する。【０１９８】
ＩＰパケット処理部１２１０は、ＷＬＡＮ通信部１０２０が受信したＩＰパケットの処理を行う。処理したＩＰパケットが通信コンテンツの一部であれば、その処理をコンテンツ処理部１０３０に依頼する。また、処理したパケットが、コンテンツ情報であれば、その処理をコンテンツ情報取得部１３８０に依頼する。コンテンツ処理部１０３０は、ＩＰパケット処理部１２１０からの依頼に基づいてコンテンツの処理を行う。コンテンツの処理については他の例と同様であるが、処理するコンテンツが発信端末装置７６が配信する独自コンテンツであった場合、コンテンツ情報記憶部１３９０が保持している当該独自コンテンツの復号鍵を用いて復号処理をした上で処理を行う。【０１９９】
コンテンツ情報取得部１３８０は、ＩＰパケット処理部１２１０の依頼に基づき、コンテンツ情報を取得し、コンテンツ情報記憶部１３９０に格納する。コンテンツ情報記憶部１３９０は、コンテンツ情報を保持している。コンテンツ情報は、コンテンツ情報取得部１３８０およびアドレス情報受信部１４００によって登録される。また、コンテンツ情報は、コンテンツリストを生成する際にコンテンツリスト生成部１１２０によって参照され、また、受信するコンテンツを決定する際にコンテンツ決定部１１４０によって参照される。【０２００】
近距離無線通信部１１００は、発信端末装置７６と近距離無線通信を介して通信を行う。アドレス情報受信部１４００は、発信端末装置７６が送信する独自コンテンツを配信するマルチキャストアドレスに関するアドレス情報および暗号化された独自コンテンツを復号するための復号鍵を取得する。取得したアドレス情報および復号鍵は、独自コンテンツに関するコンテンツ情報としてコンテンツ情報記憶部１３９０に登録される。【０２０１】
接続設定情報受信部１４２０は、情報配信装置５２０から接続設定情報を受信し、その内容を接続制御部１２００に出力する。【０２０２】
図４２は、図３９の発信端末装置７６の構成例を示す図である。発信端末装置７６は、アドレス要求部１４３０と、ＷＬＡＮ通信部１０２０と、アドレス受信部１４４０と、接続制御部１２００と、アドレス情報記憶部１４５０と、配信処理部１５１０と、操作検知部１１３０と、接続設定情報取得部１０８０と、アドレス削除要求部１４１０と、コンテンツ記憶部１２９０と、コンテンツ生成部１４７０と、アドレス情報送信部１４６０と、近距離無線通信部１１００とを含む。【０２０３】
ＷＬＡＮ通信部１０２０は、WLANを介した通信を行う。接続設定情報取得部１０８０は、情報配信装置５２０から接続設定情報を受信する。接続設定情報は、他の例における接続設定情報と同様である。取得した接続設定情報は、接続制御部１２００に送られる。【０２０４】
接続制御部１２００は、接続設定情報取得部１０８０から受け取った接続設定情報に基づいてコンテンツ配信装置５４０との接続処理を行う。アドレス要求部１４３０は、操作検知部１１３０がアドレス要求の指示を検知した際に、コンテンツ配信装置５４０にコンテンツ配信のためのマルチキャストアドレスの要求を行う。【０２０５】
アドレス受信部１４４０は、アドレス要求部１４３０が行ったアドレス要求に応じてコンテンツ配信装置５４０が送信するアドレス情報を受信する。受信したアドレス情報は、アドレス情報記憶部１４５０に格納される。アドレス情報記憶部１４５０は、アドレス受信部１４４０が受信したアドレス情報および復号鍵を保持している。保持しているアドレス情報および復号鍵は、配信処理部１５１０がコンテンツを配信する際、および、アドレス情報送信部１４６０が端末装置３０にアドレス情報を送信する際に参照される。アドレス情報送信部１４６０は、操作検知部１１３０がアドレス送信の指示を検知した際に、アドレス情報記憶部１４５０が保持しているアドレス情報を取得し、その送信を近距離無線通信部１１００に依頼する。アドレス削除要求部１４１０は、コンテンツの配信を終了し、マルチキャストアドレスが不用になった際、近距離無線通信部１１００を介して発信端末装置７６に対して、アドレス削除要求を行う。【０２０６】
近距離無線通信部１１００は、アドレス情報送信部１４６０からの依頼に基づき、特定の端末装置３０に対して、アドレス情報を送信する。ここで、アドレス情報を送信した端末装置３０のみが、当該発信端末装置７６が配信する独自コンテンツを受信・再生することが可能となる。【０２０７】
コンテンツ生成部１４７０は、撮像機能を保持し、コンテンツを生成する。コンテンツ記憶部１２９０は、コンテンツ生成部１４７０において生成したコンテンツを保持している。配信処理部１５１０は、コンテンツ記憶部１２９０が保持している独自コンテンツを、アドレス情報記憶部１４５０が保持しているマルチキャストアドレスに対して配信するようにＷＬＡＮ通信部１０２０に依頼する。【０２０８】
（第８の変形例）
次に、第８の変形例について説明する。なお、前述した実施形態、または、変形例と共通する部分については同一の符号を付して説明を簡略化する。まず概要を説明する。第８の変形例は、第８配信システムに関する。本変形例は、電車内等において好適である。【０２０９】
図４３は、第８の変形例にかかる第８配信システム４８０の構成例を示す図である。第８配信システム４８０は、コンテンツ供給装置５１０と、コンテンツ配信装置５４０と、ＡＰ５３０と、端末装置３０と、乗車券７８とを含む。なお、コンテンツ供給装置５１０やＡＰ５３０は、前述と同様であるため、ここでの説明は割愛する。【０２１０】
コンテンツ配信装置５４０は、ＡＰ５３０を介して通信コンテンツのマルチキャスト配信を行う。本変形例において配信されるコンテンツとしては、現在地や主要停車駅の到着時刻を含む運行情報コンテンツや停車駅の到着時刻、あるいは、乗り換え案内、周辺情報を含む駅情報コンテンツ、車両内の設備、混雑具合などを含む車両内の情報が示されたコンテンツなどが考えられる。これらのコンテンツは、コンテンツ配信装置５４０が保持・配信するが、コンテンツ配信装置５４０は、コンテンツ供給装置５１０からこれらのコンテンツを取得する。【０２１１】
端末装置３０は、コンテンツ配信装置５４０が配信する通信コンテンツを、ＡＰ５３０を介して受信する。端末装置３０は、乗車券７８に記載されているＱＲコードの読み取り機能を搭載しており、このＱＲコードから接続設定情報および行き先情報を取得する。行き先情報には、乗車駅や経由駅、あるいは、降車予定駅に関する情報が含まれてもよい。端末装置３０は、ＱＲコードから取得した接続設定情報に基づいてＡＰ５３０に接続する。【０２１２】
また、端末装置３０は、ＱＲコードから取得した行き先の情報に対応する駅の情報に関する通信コンテンツを優先的に再生する。ここで、優先的に再生するとは、ユーザが視聴するコンテンツを選択する前の状態、すなわち、初期の状態において受信するとともに、コンテンツリストを表示する際に、ユーザに選択されやすいように、画面上の上方に表示されることをいう。なお、本変形例においては、ＡＰ５３０と端末装置３０の間の通信をｂｌｕｅｔｏｏｔｈで行ってもよい。また、本変形例におけるコンテンツを駅構内に配信してもよい。【０２１３】
図４４は、図４３のコンテンツ配信装置５４０の構成例を示す図である。コンテンツ配信装置５４０は、通信コンテンツ受信部２０６０と、通信コンテンツ記憶部２０１０と、フォーマット変換部２０２０と、コンテンツ配信部２１７０とを含む。本変形例におけるコンテンツ配信装置５４０は、前述した実施形態におけるコンテンツ配信装置５４０とほぼ同様であるため説明を省略する。【０２１４】
図４５は、図４３の端末装置３０の構成例を示す図である。端末装置３０は、音声出力部１０４０と、放送波受信部１０１０と、コンテンツ処理部１０３０と、表示部１０５０と、ＩＰパケット処理部１２１０と、コンテンツ情報取得部１０６０と、コンテンツリスト生成部１１２０と、ＷＬＡＮ通信部１０２０と、コンテンツ決定部１１４０と、コンテンツ情報記憶部１１１０と、接続制御部１２００と、操作検知部１１３０と、コード読み取り部１５００とを含む。【０２１５】
このうち、放送波受信部１０１０、コンテンツ処理部１０３０、音声出力部１０４０、表示部１０５０、ＩＰパケット処理部１２１０、コンテンツ情報取得部１０６０、コンテンツリスト生成部１１２０、ＷＬＡＮ通信部１０２０、接続制御部１２００、操作検知部１１３０、コンテンツ決定部１１４０については、他の変形例と同様の働きをするので、ここでの説明は割愛する。【０２１６】
コード読み取り部１５００は、乗車券７８に印刷されているＱＲコードを読み取ることによって、コンテンツ配信装置５４０或いはＡＰ５３０に接続するための接続設定情報、行先に関する行先情報、乗車車両に関する情報を取得する。このうち、接続設定情報は、接続制御部１２００に出力される。また、行先情報はコンテンツ情報記憶部１１１０に格納される。【０２１７】
コンテンツ情報記憶部１１１０は、コンテンツ情報および行先情報を保持している。行先情報とは、コード読み取り部１５００により取得された情報であって、乗車券に対応した行先の情報である。一方、コンテンツ情報とは、他の例のコンテンツ情報とほぼ同様であるが、その他に、優先順位が付加されており、保持している行き先情報に対応する駅情報コンテンツの優先順位が上位に設定されている。この他、以前視聴したことのあるコンテンツについては、その優先順位を上位にしてもよい。このような態様により、ユーザの利便性を簡易に向上できる。【０２１８】
（第９の変形例）
次に、第９の変形例について説明する。なお、前述した実施形態、または、変形例と共通する部分については同一の符号を付して説明を簡略化する。まず概要を説明する。第９の変形例は、第９配信システムに関する。【０２１９】
本変形例は、第８の変形例の更なる変形例であり、ユーザが発信端末装置を用いて撮影・配信するコンテンツを、すべてのユーザが共有するシステムである。本変形例は、野球場などにおいて好適であり、自分の位置からは確認できない場所の映像を確認することが可能となる。【０２２０】
本変形例は、第８の変形例とほぼ同様であるが、以下の点において異なる。発信端末装置が配信する独自コンテンツは、近距離無線通信等を介してアドレス情報が通知された特定の端末装置のみが受信していた。これに対して、本変形例は、発信端末装置が配信する独自コンテンツを、すべての端末装置で視聴可能とし、第８の変形例において行っていた独自コンテンツの暗号・復号処理を行わない。また、独自コンテンツとして、リアルタイムで配信するチェンネルと、一定時間、たとえば、１０秒遅らせて配信するチェンネルを設ける。これによって、少し前に起こった出来事の確認も行うことが可能となる。【０２２１】
発信端末装置が定期的に自身の位置情報をコンテンツ配信装置に送信し、その内容をコンテンツ情報に反映することによって、どこで撮影したコンテンツかが分かる。それをユーザに分かりやすく示すために、コンテンツリストを表示する代わりに、発信装置の位置を画面の地図上に表示し、その中から視聴したいものを選択すると、そのポイントに対応した発信装置は配信するコンテンツを受信・再生・視聴することを可能とする。【０２２２】
図４６は、第９の変形例にかかる第９配信システム４９０の構成例を示す図である。第９配信システム４９０は、情報配信装置５２０と、ＡＰ５３０と、コンテンツ配信装置５４０と、端末装置３０と、発信端末装置７６とを含む。第９配信システム４９０は、野球場内の入り口付近に設置された設定エリアにおいて、端末装置３０および発信端末装置７６が情報配信装置５２０から接続設定情報を取得し、それに基づいてコンテンツ配信装置５４０に接続する。この後、端末装置３０および発信端末装置７６が移動すると、それに伴って、接続先を最寄りのＡＰ５３０に変更する。【０２２３】
前述の変形例と同様に、発信端末装置７６はコンテンツ配信装置５４０からマルチキャスト配信を行うためのアドレスを取得する。コンテンツ配信装置５４０は、コンテンツ情報をマルチキャストで配信する。本変形例におけるコンテンツ情報には、コンテンツID、コンテンツ名、アドレス情報、位置情報が含まれる。発信端末装置７６が定期的に自身の位置情報、例えば、ＧＰＳ情報をコンテンツ配信装置５４０に通知することによって、コンテンツ配信装置５４０は各発信端末装置７６の位置を把握することが可能となる。【０２２４】
端末装置３０は、コンテンツ情報に基づいてコンテンツリストを生成する。図４７は、図４６の端末装置３０の画面の表示例を示す図である。図示するごとく、端末装置３０の画面上には、野球場を表す地図上に、図４６における発信端末装置７６の位置する場所が表示される。そして、ユーザがそのうちの1つを選択すると、その場所に対応する発信端末装置７６からのコンテンツを受信・再生出来る。【０２２５】
図４８は、図４６のコンテンツ配信装置５４０の構成例を示す図である。コンテンツ配信装置５４０は、通信コンテンツ受信部２０６０と、通信コンテンツ記憶部２０１０と、フォーマット変換部２０２０と、コンテンツ配信部２１７０と、アドレス情報記憶部２２００と、コンテンツ情報管理部２２７０と、アドレス割当部２２１０と、アドレス要求受信部２２３０と、アドレス送信部２２２０と、位置情報受信部２２６０とを含む。【０２２６】
このうち、通信コンテンツ受信部２０６０、通信コンテンツ記憶部２０１０、フォーマット変換部２０２０、コンテンツ配信部２１７０、アドレス要求受信部２２３０、アドレス割当部２２１０、アドレス送信部２２２０、アドレス情報記憶部２２００は、第７の変形例と同様であるため、ここでの説明は割愛する。【０２２７】
位置情報受信部２２６０は、発信端末装置７６が定期的に送信する位置情報を受信し、その内容を、コンテンツ情報管理部２２７０へ出力し、コンテンツ情報の更新を依頼する。コンテンツ情報管理部２２７０は、コンテンツ情報の生成や更新処理を行う。具体的には、アドレス情報記憶部２２００が保持しているアドレス情報と、位置情報受信部２２６０から受信した位置情報とに基づいてコンテンツ情報を生成・更新する。管理しているコンテンツ情報は、コンテンツ配信部２１７０によりマルチキャスト配信される。【０２２８】
図４９は、図４６の端末装置３０の構成例を示す図である。本変形例における端末装置３０は、第７の変形例における端末装置３０とほぼ同様である。但し、前述のごとく、コンテンツリストの表示方法のみが異なり、表示部１０５０は、画面に地図を表示し、その地図上に、配信元の発信端末装置７６の位置を表示する。この他の点については第７の変形例と同様であるため、ここでの説明を割愛する。【０２２９】
図５０は、図４６の発信端末装置７６の構成例を示す図である。発信端末装置７６は、アドレス要求部１４３０と、ＷＬＡＮ通信部１０２０と、アドレス受信部１４４０と、位置情報送信部１２６０と、接続制御部１２００と、アドレス情報記憶部１４５０と、配信処理部１５１０と、操作検知部１１３０と、位置情報検知部１５２０と、接続設定情報取得部１０８０と、コンテンツ記憶部１２９０と、コンテンツ生成部１４７０と、を含む。【０２３０】
このうち、ＷＬＡＮ通信部１０２０、アドレス要求部１４３０、アドレス受信部１４４０、接続制御部１２００、アドレス情報記憶部１４５０、配信処理部１５１０、操作検知部１１３０、接続設定情報取得部１０８０、コンテンツ記憶部１２９０、コンテンツ生成部１４７０は、第７の変形例における発信端末装置７６に含まれる構成と同様であるため、ここでの説明は割愛する。また、第７の変形例において発信端末装置７６が備えていたアドレス情報送信部、近距離無線通信部を備えていない。【０２３１】
位置情報検知部１５２０は、自身の端末装置３０の位置情報を定期的に検知する。検知した位置情報は位置情報送信部１２６０に送られる。位置情報送信部１２６０は、位置情報検知部１５２０において検地した位置情報を、ＷＬＡＮ通信部１０２０を介してコンテンツ配信装置５４０へ送信する。【０２３２】
（第１０の変形例）
次に、第１０の変形例について説明する。なお、前述した実施形態、または、変形例と共通する部分については同一の符号を付して説明を簡略化する。まず概要を説明する。第１０の変形例は、第１０配信システムに関する。第１０の変形例は、コンテンツ配信装置を、外部ネットワークを介して外部制御サーバから制御することが可能である。このような態様により、外部の制御サーバから、複数のコンテンツ配信装置を一括して管理できる。本変形例は、複数の店舗を持つコンビニ等において好適である。【０２３３】
図５１は、第１０の変形例にかかる第１０配信システム５００の構成例を示す図である。第１０配信システム５００は、コンテンツ配信装置５４０と、端末装置３０と、外部制御サーバ８０と、コンテンツ供給装置５１０とを含む。本変形例における端末装置３０、コンテンツ供給装置５１０は、他の例と同様であるため、ここでの説明を割愛する。【０２３４】
外部制御サーバ８０は、コンテンツ配信装置５４０を、外部ネットワークを介して遠隔制御する。具体的には、コンテンツ配信装置５４０がどのようなコンテンツを配信するか、また、コンテンツ供給装置５１０が保持しているコンテンツの取得の指示を行う。また、外部制御サーバ８０は、コンテンツ配信装置５４０の配信状況を取得し、表示することが可能である。第１０配信システム５００を管理するシステム管理者であるユーザは、この表示を見て、コンテンツ配信装置５４０への指示を入力する。【０２３５】
図５２は、図５１の外部制御サーバ８０とコンテンツ配信装置５４０との構成例を示す図である。外部制御サーバ８０は、図示のごとく、ユーザＩ／Ｆ３２００と、制御信号生成部３２１０と、制御信号送信部３２２０と、配信状況取得処理部３２３０とを含む。【０２３６】
ユーザＩ／Ｆ３２００は、ユーザが入力した指示内容に応じた処理を行い、また、ユーザへ情報を通知する。具体的には、ユーザが、配信状況表示の指示をユーザＩ／Ｆ３２００に入力すると、ユーザによって指示されたコンテンツ配信装置５４０の配信状況の取得を配信状況取得処理部３２３０に依頼し、それに応じて配信状況取得処理部３２３０が取得した配信状況を表示する。また、ユーザが、コンテンツ配信装置５４０に対して制御指示を入力すると、その内容に従って制御信号生成部３２１０に制御信号の生成を依頼する。【０２３７】
配信状況取得処理部３２３０は、ユーザＩ／Ｆ３２００からの依頼を受け、コンテンツ配信装置５４０の配信状況を取得する。具体的には、ユーザＩ／Ｆ３２００からの指示に対応するコンテンツ配信装置５４０に対して配信状況を要求する。そして、その要求に応じてコンテンツ配信装置５４０から送信された配信状況を取得する。取得した配信状況は、ユーザＩ／Ｆ３２００に送られ、ユーザへ通知される。【０２３８】
制御信号生成部３２１０は、ユーザＩ／Ｆ３２００に入力された制御指示に対応した制御信号を生成する。制御信号とは、以下の２種類がある。１つは、コンテンツ供給装置５１０からコンテンツを取得することを指示するもので、コンテンツ供給装置５１０を識別するID、コンテンツ配信装置５４０に関する装置情報、コンテンツＩＤが含まれる。もう１つは、コンテンツ配信装置５４０がマルチキャスト配信するコンテンツを指示するもので、コンテンツ配信装置５４０が配信するべきコンテンツのコンテンツ情報である。【０２３９】
コンテンツ情報は、コンテンツID、コンテンツ名、IPアドレス、チャンネルを含む。なお、この指示に、そのコンテンツを配信するべき期間、たとえば、「9：00〜13:00」を含ませることも可能である。これにより、配信スケジュールをあらかじめ設定しておくことが可能となる。制御信号生成部３２１０において生成された制御信号は、制御信号送信部３２２０に送られる。制御信号送信部３２２０は、制御信号生成部３２１０において生成された制御信号を、対応するコンテンツ配信装置５４０に送信する。【０２４０】
次に、コンテンツ配信装置５４０について説明する。  コンテンツ配信装置５４０は、配信状況送信処理部２３００と、配信状況取得部２３１０と、制御信号受信部２２９０と、配信管理部２２８０と、通信コンテンツ配信部２０３０と、フォーマット変換部２０２０と、通信コンテンツ記憶部２０１０と、通信コンテンツ受信部２０６０とを含む。そのうち、通信コンテンツ受信部２０６０、通信コンテンツ記憶部２０１０、フォーマット変換部２０２０、通信コンテンツ配信部２０３０は、前述したコンテンツ配信装置５４０と同様であるため、ここでの説明は割愛する。【０２４１】
制御信号受信部２２９０は、外部制御サーバ８０から送信された制御信号を受信する。受信した制御信号は、配信管理部２２８０に送られる。配信管理部２２８０は、制御信号受信部２２９０から受け取った制御信号を実行する。受け取った制御信号がコンテンツ供給装置５１０からコンテンツの取得を指示するものであれば、対応するコンテンツの取得を、通信コンテンツ受信部２０６０に依頼する。一方、受け取った制御信号が配信する通信コンテンツを指示するものであれば、その内容に従ったコンテンツを処理するようにフォーマット変換部２０２０に依頼する。また、その指示が配信時間の指定を含んだものであれば、その指示を保存しておき、指示された時間になった際に、その内容を実施する。【０２４２】
配信状況取得部２３１０は、配信状況送信処理部２３００からの依頼に基づき、配信中のコンテンツおよび、配信予定のコンテンツに関する情報を配信管理部２２８０から取得する。取得した配信状況は、配信状況送信処理部２３００へ送られる。配信状況送信処理部２３００は、外部制御サーバ８０から配信状況を要求されると、配信状況取得部２３１０に対して、配信状況の取得を依頼する。それに応じて配信状況取得部２３１０が取得した配信状況を外部制御サーバ８０に送信する。【０２４３】
以上、本発明を実施形態、変形例をもとに説明した。この実施形態、変形例は例示であり、それらの各構成要素や各処理プロセスの組合せにかかる更なる変形が可能なこと、またそうした変形も本発明の範囲にあることは当業者に理解されるところである。
【産業上の利用可能性】
【０２４４】
本発明によれば、コンテンツを簡易に取得できる。
【図１】
2008047475.tif 000003
【図２】
2008047475.tif 000004
【図３】
2008047475.tif 000005
【図４】
2008047475.tif 000006
【図５】
2008047475.tif 000007
【図６】
2008047475.tif 000008
【図７】
2008047475.tif 000009
【図８】
2008047475.tif 000010
【図９】
2008047475.tif 000011
【図１０】
2008047475.tif 000012
【図１１】
2008047475.tif 000013
【図１２】
2008047475.tif 000014
【図１３】
2008047475.tif 000015
【図１４】
2008047475.tif 000016
【図１５】
2008047475.tif 000017
【図１６】
2008047475.tif 000018
【図１７】
2008047475.tif 000019
【図１８】
2008047475.tif 000020
【図１９】
2008047475.tif 000021
【図２０】
2008047475.tif 000022
【図２１】
2008047475.tif 000023
【図２２】
2008047475.tif 000024
【図２３】
2008047475.tif 000025
【図２４】
2008047475.tif 000026
【図２５】
2008047475.tif 000027
【図２６】
2008047475.tif 000028
【図２７】
2008047475.tif 000029
【図２８】
2008047475.tif 000030
【図２９】
2008047475.tif 000031
【図３０】
2008047475.tif 000032
【図３１】
2008047475.tif 000033
【図３２】
2008047475.tif 000034
【図３３】
2008047475.tif 000035
【図３４】
2008047475.tif 000036
【図３５】
2008047475.tif 000037
【図３６】
2008047475.tif 000038
【図３７】
2008047475.tif 000039
【図３８】
2008047475.tif 000040
【図３９】
2008047475.tif 000041
【図４０】
2008047475.tif 000042
【図４１】
2008047475.tif 000043
【図４２】
2008047475.tif 000044
【図４３】
2008047475.tif 000045
【図４４】
2008047475.tif 000046
【図４５】
2008047475.tif 000047
【図４６】
2008047475.tif 000048
【図４７】
2008047475.tif 000049
【図４８】
2008047475.tif 000050
【図４９】
2008047475.tif 000051
【図５０】
2008047475.tif 000052
【図５１】
2008047475.tif 000053
【図５２】
2008047475.tif 000054
【国際調査報告】
2008047475.tif 000055
2008047475.tif 000056
2008047475.tif 000057
2008047475.tif 000058